(57)【特許請求の範囲】
【請求項１】
住宅を構成する構成部材の性能またはその構成部材を使用した構造体の性能を体験する性能体験設備が展示空間に展示された住宅体験施設において、
上記性能体験設備は床防音体験装置であって、
この床防音体験装置は、
体験室と、体験室の上方に配設され且つ互いに構造が異なる複数種類の床構造体で構成された仕切り材とを備えており、
衝撃音発生用の落下物を、上記仕切り材の上方に搬送して複数種類の床構造体のうち選択的に１つの床構造体に落下させて衝撃音を発生させる落下物搬送手段を備えていることを特徴とする住宅体験施設。
【請求項２】
住宅を構成する構成部材の性能またはその構成部材を使用した構造体の性能を体験する性能体験設備が展示空間に展示された住宅体験施設において、
上記性能体験設備は外壁パネルの性能展示設備であって、この外壁パネルの性能展示設備は、種類の異なる外壁パネルの透水性を比較する透水性比較装置であり、
この透水性比較装置は、
透明の保護カバーにより覆われてなる展示室を備え、
この展示室内には、種類の異なる外壁パネルにより内部に液体が貯留可能に形成されてなる複数の試験器が互いに隣接して展示され、
各試験器は、その周囲の一部に前方に開口する開口部を備えているとともに、この開口部を水密状態で遮蔽する透明板を備え、
各試験器の内部に貯留された液体の経時的な透水による変化量を透明板を介して覗き見ることによって各試験器の透水性を比較するようになされていることを特徴とする住宅体験施設。
【発明の詳細な説明】
【０００１】
【発明の属する技術分野】
本発明は、住宅構成部材及びそれを使用した構造体の性能体験をすることができる種々の設備が展示された住宅体験施設に係る。
【０００２】
【従来の技術】
従来より、工業化住宅では、各部の仕様が多種多様にわたっている。これら仕様の違いによって、住宅の耐久性や快適性などが異なる。例えば、外壁パネルの仕様によって住宅の耐久性が異なる。また、複数階の住宅における上層階の床構造の仕様によって下層階へ伝わる騒音の遮音性が異なる。
【０００４】
【発明が解決しようとする課題】
ところが、これまで、これら各仕様を総合的に判断できるようにした施設はなく、住宅を建てようとする者は、カタログやサンプルを見て仕様を選択していた。
【０００５】
これでは、実際の住宅の耐久性、快適性等を把握することができず、住宅を建てようとする者は、仕様等の検討が十分に行えないまま住宅の発注を行っているのが現状であった。このため、住宅の建築後に、望んでいた住宅の性能が得られず、住宅を建てた者の不満を招くことがあった。
【０００６】
本発明は、かかる点に鑑みてなされたものであり、実際の住宅の耐久性、快適性等を把握することができる設備を同一空間内に展示することで、各仕様を総合的に判断できるようにした施設を提供することを目的とする。
【０００７】
【課題を解決するための手段】
上記目的を達成するために、本発明が講じた第１の解決手段は、住宅を構成する構成部材の性能またはその構成部材を使用した構造体の性能を体験する性能体験設備を展示空間に展示した住宅体験施設において、上記性能体験設備を床部材の防音性能を体験できるものとして構成している。つまり、この床防音体験装置に、体験室と、体験室の上方に配設され且つ互いに構造が異なる複数種類の床構造体で構成された仕切り材とを備えさせる。また、衝撃音発生用の落下物を、上記仕切り材の上方に搬送して複数種類の床構造体のうち選択的に１つの床構造体に落下させて衝撃音を発生させる落下物搬送手段を備えさせている。
【００２３】
この特定事項により、体験室内に体験者が居る状態で構造の異なる床構造体に対して床防音体験ができる。この床防音体験では、落下物搬送手段によって搬送された落下物を、各床構造体に個別に落下させ、その落下によって発生する騒音が体験室に伝達する。体験者は、体験室内に居て、各床構造体毎に体験室に伝達する騒音を比較できる。
このようにして、性能体験設備によって構成部材の性能またはその構成部材を使用した構造体の性能を体験することにより、住宅の各部仕様を総合的に判断でき、住宅を建てようとする者が仕様を選択するに際し、十分に納得した検討をすることが可能になる。
【００２８】
第２の解決手段は、住宅を構成する構成部材の性能またはその構成部材を使用した構造体の性能を体験する性能体験設備を展示空間内に展示した住宅体験施設において、外壁パネルの性能を体験できるものとして性能体験設備を構成している。具体的には、性能体験設備は外壁パネルの性能展示設備であって、この外壁パネルの性能展示設備を、種類の異なる外壁パネルの透水性を比較する透水性比較装置とする。そして、この透水性比較装置に、透明の保護カバーにより覆われてなる展示室を備えさせ、この展示室内に、種類の異なる外壁パネルにより内部に液体が貯留可能に形成されてなる複数の試験器を互いに隣接して展示し、各試験器に、その周囲の一部に前方に開口する開口部を備えるとともに、この開口部を水密状態で遮蔽する透明板を備えさせる。そして、各試験器の内部に貯留された液体の経時的な透水による変化量を透明板を介して覗き見ることによって各試験器の透水性を比較するようにしている。
【００２９】
この特定事項により、この透水性比較装置では、各試験器の内部に貯留された液体を透明板を介して覗き見ることによって、各試験器内部の液体の経時的な透水による変化量が一目で比較され、種類の異なる外壁パネルの差が明確なものとなり、種類の異なる外壁パネルの透水性の違いを容易に把握してもらえ、その透水性の差を印象付けることが可能となる。さらに、各試験器の周囲において内部から染み出す液体のシミの出具合により、各外壁パネルの透水性の差を各試験器によって実体験することが可能となる。しかも、展示室が透明カバーにより覆われているので、展示室内を気密状態にすることが可能となり、各試験器内の液体の蒸発が効果的に抑制され、各試験器内の液体の透水による変化量が正確に把握されることになる。
【００４９】
【発明の実施の形態】
以下、本発明の実施の形態を図面に基づいて説明する。
【００５０】
図１は、本発明に係る住宅体験施設Ａの内部を示す施設全体図である。本住宅体験施設Ａは、換気性能展示設備Ｂ、床防音体験装置Ｃ、外壁パネルの性能展示設備Ｄ、セントラルクリーナ解説装置Ｅ（図２６参照）、浴槽またぎ寸法体験装置Ｆ（図２７参照）、遮熱効果体験装置Ｇ、断熱性比較装置Ｈ、気密性比較装置Ｉ、ガラス割れ体験装置Ｊ（図３８参照）、太陽光発電システムの解説装置Ｋ、太陽光発電システムの性能体感装置Ｌ等の種々の設備及び装置が展示されている。これら設備及び装置により、家を建てようとする者が、住宅各部の仕様の差による換気性能や防音性能等の各種性能の体感や、住宅の仕様を選択する際の実体験や、住宅付帯設備の疑似体験が行えるようになっている。
【００５１】
以下、各設備及び装置について説明する。
−換気性能展示設備Ｂの説明−
先ず、本発明でいう疑似体験設備の１つとしての換気性能展示設備Ｂについて説明する。この換気性能展示設備Ｂは、換気システムの換気状態を体験できる複数種類の展示物を組み合わせて展示したものである。つまり、本換気性能展示設備Ｂは、装置全体で換気システムの換気状態を複合的に体験できるようにしたものである。
【００５２】
具体的に、本換気性能展示設備Ｂは、図２に示すように、換気体験装置１、熱交換体験装置２及び換気ユニット展示物３を備えている。この換気性能展示設備Ｂは、展示台４と、この展示台４の上方を覆うように据え付けられた展示用枠体５とを備えている。上記換気体験装置１及び熱交換体験装置２は展示台４の上面に載せられている。換気ユニット展示物３は展示用枠体５の上部に吊り下げられている。この展示用枠体５の高さ寸法は、実際の住宅の室内高さに略一致している。つまり、実際の住宅において据え付けられる位置と略同じ高さ位置に換気ユニット展示物３を展示している。
【００５３】
換気体験装置１は、住宅模型１２を備え、この住宅模型１２内で発生させた換気用の気流を体験者が目視することで住宅模型１２内の換気状態を認識できるようにしたものである。
【００５４】
熱交換体験装置２は、室内空間を想定した温調室と室外を想定した外気室とを備えたケーシング２３内に熱交換器２４を収容している。この熱交換器２４により、温調室から外気室へ向かう空気と外気室から温調室へ向かう空気とを熱交換させ、この熱交換器２４から導出する空気を体験者が直接触れることで、この熱交換器２４の熱交換性能を体感できるようにしている。
【００５５】
換気ユニット展示物３は、上記熱交換体験装置２の熱交換器２４と略同構成の熱交換器３１を収容し、実際の住宅内に据え付けられるものである。この熱交換器３１で熱交換された空気の吹き出し状態を確認することで、実際に住宅内に据え付けられる換気ユニットでは、どの程度の換気量が得られるのかを認識できるようにしている。
【００５６】
以下、この換気性能展示設備Ｂを構成する各展示物について説明する。
（換気体験装置１の構成説明）
先ず、換気体験装置１について説明する。
【００５７】
図３は換気体験装置１の斜視図、図４は図３におけるIV-IV 線に沿った断面図、図５は図３におけるV-V 線に沿った断面図である。
【００５８】
図３に示すように、本換気体験装置１は、装置本体１１と、この装置本体１１の上面に設置された上記住宅模型１２とを備えている。
【００５９】
住宅模型１２は、複数枚のアクリルパネルが組み合わされて構成されており、内部に２階建て住宅の間取りが形成されている。詳しくは、この住宅模型１２は、４枚の外壁パネル１３ａ、１３ａ、…と屋根形の屋根パネル１３ｂとが一体的に組み合わされて内部に屋内空間１４が形成されている。この屋内空間１４は、上下に仕切られた３層の空間１４ａ、１４ｂ、１４ｃを備えている。つまり、屋内空間１４の上下方向略中間位置と、上端部近傍位置とに設けられた水平方向に延びる２枚の天井パネル１５ａ、１５ｂによって、１階空間１４ａ、２階空間１４ｂ、天井裏空間１４ｃの３層に仕切られている。
【００６０】
１階空間１４ａ及び２階空間１４ｂはそれぞれ複数枚の壁パネル１５ｃ、１５ｃ、…、１５ｄ、１５ｄ、…によって互いに独立した複数の空間に仕切られている。この壁パネル１５ｃ、１５ｄ及び上記天井パネル１５ａ、１５ｂが本発明でいう仕切り板を構成している。
【００６１】
図４は１階空間１４ａの間取りを示している。例えば、図４における１４Ａはリビングルーム、１４Ｂはエントランス、１４Ｃはキッチン及びサニタリルーム、１４Ｄは1 階和室、１４Ｅは収納スペースをそれぞれ想定した空間である。
【００６２】
図５は２階空間１４ｂの間取りを示している。例えば、図５における１４Ｆ及び１４Ｇは２階洋室、１４Ｈ及び１４Ｉは２階和室をそれぞれ想定した空間である。上述したように、この住宅模型１２を構成している各パネル１３ａ、１３ｂ、１５ａ、１５ｂ、１５ｃ、１５ｄは透明体であるアクリルパネルなので、各室内を住宅模型１２の外部から容易に目視することが可能である。
【００６３】
また、これら各室を仕切っている壁パネル１５ｃ、１５ｄは、その下端縁部分が僅かに切り欠かれて成る切り欠き部１６を備えている。この切り欠き部１６によって互いに隣接する室内空間同士は連通し、空気の相互流通が可能となっている。この切り欠き部１６は、実際の住宅における扉の下部に設けられた隙間及び、障子や襖の周囲の隙間に相当する空間を想定したものである。
【００６４】
また、２階空間１４ｂのうち２階洋室を想定した１つの空間１４Ｇの床面を形成しているパネル１５ａには小径の開口１７が形成されている。この開口１７によって１階空間１４ａと２階空間１４ｂとが連通している。この開口１７は、実際の住宅における階段等のように１階と２階とを連通する空間を想定したものである。
【００６５】
天井裏空間１４ｃには、この住宅模型１２の屋内空間１４に気流を発生させるための気流発生手段としての送風機１８が設けられている。この送風機１８は、２階空間１４ｂの２階洋室を想定した１つの空間１４Ｆの天井面を形成しているパネル１５ｂの上面に取り付けられている。この送風機１８の吸い込み口は２階洋室を想定した空間１４Ｆに開放し、吹き出し口は天井裏空間１４ｃに開放している。天井裏空間１４ｃを形成しているパネルの一部（例えば天井裏空間１４ｃの側面を形成している外壁パネル１３ａ）には図示しない開口が形成されており、送風機１８から吹き出された空気が住宅模型１２外に排出されるようになっている。
【００６６】
この送風機１８の送風量は、住宅模型１２の内部容積に応じて設定されている。つまり、実際の住宅の内部容積と、その住宅に組み込まれた換気システムの単位時間当たりの換気量との比が、住宅模型１２の内部容積と送風機１８の単位時間当たりの送風量との比に一致するように、この送風量が設定されている。
【００６７】
次に、装置本体１１について説明する。この装置本体１１は図３の手前側に位置する前面及び上面に開口１１ａ、１１ｂが形成されている。図６に示すように、この開口１１ａ、１１ｂ同士はＬ型の配管１１ｃによって接続されている。装置本体１１の上面に形成された開口１１ｂは、上記リビングルームを想定した空間１４Ａに開放している。つまり、このリビングルームを想定した空間１４Ａは、各開口１１ａ、１１ｂ及び配管１１ｃにより装置本体１１外に連通している。
【００６８】
また、本換気体験装置１は、住宅模型１２の屋内空間１４の気流を認識するために、この屋内空間１４に微粒粉体を導入する導入手段としてのスモークテスタ１９を具備している。このスモークテスタ１９は、図７に示すように、樹脂管１９ａの一端にゴム製の袋体１９ｂが取り付けられたスポイト状の部材である。樹脂管１９ａの内部に図示しない微粒粉体を吸引し、袋体１９ｂを押し縮めることで微粒粉体を樹脂管１９ａから噴出させるようになっている。
【００６９】
尚、住宅模型１２では、後述するように、その内部にスモークテスタ１９から噴出した微粒粉体を気流に沿って流す。そのため、この微粒粉体が住宅模型１２の外部から容易に目視できるように、住宅模型１２の背面、天井パネル１５ａ及び装置本体１１の上面を黒色等に着色したり、これら各面を有色のパネル材により構成することが好ましい。
【００７０】
（換気体験装置１による体験動作の説明）
次に、上記の如く構成された換気体験装置１による体験動作について説明する。この体験動作では、住宅模型１２内に設置された送風機１８を駆動する。これにより、住宅模型１２内には屋内空間１４の底部から上部に向かう気流が発生する。また、スモークテスタ１９内には微粒粉体を吸引しておく。
【００７１】
この状態で、体験者は、スモークテスタ１９の樹脂管１９ａを装置本体１１の前面の開口１１ａに差し込み、袋体１９ｂを把持して押し縮める。これにより、スモークテスタ１９から噴出した微粒粉体が配管１１ｃ及び装置本体１１の上面の開口１１ｂを経てリビングルームを想定した空間１４Ａに導入する。この微粒粉体は、図３に一点鎖線の矢印で示すように、屋内空間１４の気流に沿って流れる。具体的には、リビングルームを想定した空間１４Ａから壁パネル１５ｃ下端の切り欠き部１６を経てエントランスを想定した空間１４Ｂに流入する。その後、このエントランスを想定した空間１４Ｂの天井パネル１５ａの開口１７を経て２階洋室を想定した各空間１４Ｇ、１４Ｆを順に流れ送風機１８に吸引される。
【００７２】
このようにして、各部屋１４Ａ、１４Ｂ、１４Ｇ、１４Ｆを順に微粒粉体が流れることで、これら各部屋１４Ａ、１４Ｂ、１４Ｇ、１４Ｆの空気が送風機１８により排出されていることが確認できる。
【００７３】
このように、本形態の換気体験装置１によれば、２階建て住宅を想定した住宅模型１２内部の気流に沿って微粒粉体を流すことにより、この気流を容易に確認でき、各室内の換気が良好に行われていることを容易に認識できる。このため、体験者に対して、換気システムの効果を十分に理解させることができる。
【００７４】
また、実際の住宅に備えられている換気システムにおいても送風機を天井裏空間に設けている場合が多い。従って、住宅模型１２内部に発生する気流を実際の住宅と略同様に発生させることができ、体験者に、より現実に近い各室内の換気状態を認識させることができる。
【００７５】
尚、本形態における換気体験装置１の住宅模型１２は、内部に２階建て住宅の間取りを形成したものであった。本発明は、これに限らず、１階建て住宅や３階建て以上の住宅の模型によって屋内空間の気流を認識できるようにしてもよい。また、各階を繋ぐ階段室を備えた住宅模型を作製し、この階段室が換気通路として利用されていることを認識できる構成としてもよい。
【００７６】
また、住宅模型１２内部の気流を目視できるようにするものとしては、微粒粉体に限らず、煙（煙草の煙等でもよい）を使用することも可能である。
【００７７】
（熱交換体験装置２の構成説明）
次に、熱交換体験装置２について説明する。
【００７８】
図８は熱交換体験装置２の斜視図、図９は熱交換体験装置２の平面図、図１０は熱交換体験装置２の正面図である。
【００７９】
これら図に示すように、本熱交換体験装置２は、上側の体験機２１と、下側の装置本体２２とを備えている。
【００８０】
先ず、体験機２１について説明する。この体験機２１は透明のケーシング２３の内部に熱交換器２４が収容されている。熱交換器２４は、ケーシング２３内部の中央に設置され、その高さ寸法は体験機２１の高さ寸法に略一致している。この熱交換器２４は所謂静止形の全熱交換器である。実際に住宅に付設される換気ユニットは、この全熱交換器が採用されている場合が多く、本熱交換体験装置２でもこの全熱交換器を採用している。このため、本体験装置２によって、実機に即した熱交換状態が実感でき、本体験装置２を、実機の再現性の高いものとすることができるようになっている。
【００８１】
また、この熱交換器２４の外側面と、ケーシング２３の内壁面との間には複数の隔壁２３ａ，２３ｂ，２３ｃ，２３ｄが設けられている。具体的には、熱交換器２４の外面の４箇所にこれら隔壁２３ａ，２３ｂ，２３ｃ，２３ｄが設けられている。これにより、ケーシング２３の内部には、熱交換器２４を囲むように４個の独立した空間２１ａ、２１ｂ、２１ｃ、２１ｄが形成されている。
【００８２】
以下、各空間２１ａ、２１ｂ、２１ｃ、２１ｄについて説明する。
図９において左下側に位置する空間は第１温調空間２１ａである。左上側に位置する空間は第２温調空間２１ｂである。また、右下側に位置する空間は新鮮空気導入空間２１ｃである。更に、右上側に位置する空間は排気空間２１ｄである。上記第１及び第２の温調空間２１ａ、２１ｂは、住宅の室内空間を想定して形成されたものであり、これら温調空間２１ａ、２１ｂによって本発明でいう温調室２１Ａが構成されている。一方、新鮮空気導入空間２１ｃ及び排気空間２１ｄは室外空間を想定して形成されたものであり、これら空間２１ｃ、２１ｄによって本発明でいう外気室２１Ｂが構成されている。
【００８３】
また、図１０に示すように、熱交換器２４は、偏平形状の空気通路Ｉ、ＩＩを形成するように積層された複数枚の伝熱プレート２４ａ、２４ａ、…を備えている。これら空気通路Ｉ、ＩＩは、第１温調空間２１ａと排気空間２１ｄとを連通する排気通路Ｉと、新鮮空気導入空間２１ｃと第２温調空間２１ｂとを連通する導入通路ＩＩから成っている。これら通路Ｉ、ＩＩが伝熱プレート２４ａを介して交互に配設されている。図９に矢印で示すように、各通路Ｉ、ＩＩを流れる空気は直交流となって熱交換が行われる構成である。
【００８４】
ケーシング２３上面の複数箇所には、体験者が各空間２１ａ、２１ｂ、２１ｃ、２１ｄ内部の空気温度を体感できるように、開口２３ｅ、２３ｆ、２３ｇ、２３ｈが設けられている。これら開口２３ｅ、２３ｆ、２３ｇ、２３ｈは、ケーシング２３において各空間２１ａ、２１ｂ、２１ｃ、２１ｄの上側に位置する部位に形成されている。つまり、体験者が各開口２３ｅ、２３ｆ、２３ｇ、２３ｈに手を翳すことにより個々の空間２１ａ、２１ｂ、２１ｃ、２１ｄ内部の空気に接触し、その空気温度を個別に体感できるようになっている。
【００８５】
上記各空間２１ａ、２１ｂ、２１ｃ、２１ｄの内部にはこれら空間２１ａ、２１ｂ、２１ｃ、２１ｄの内部温度を表示するための温度計２１ｅ、２１ｅ、…が設けられている。これら温度計２１ｅは、ケーシング２３内部の上面に貼着されたシート状のものである。
【００８６】
次に、装置本体２２について説明する。この装置本体２２は、上記体験機２１の下側に取り付けられている。この装置本体２２のケーシング２５内部には、上記第１温調空間２１ａの下側に位置する第１室２５ａと、新鮮空気導入空間２１ｃの下側に位置する第２室２５ｂとが設けられている。これら各室２５ａ、２５ｂは隔壁２５ｃにより隔てられている。
【００８７】
ケーシング２５の前面には第１室２５ａ及び第２室２５ｂそれぞれに対応して吸気孔２５ｄ、２５ｅが形成されている。また、ケーシング２５の上面には第１室２５ａ及び第２室２５ｂそれぞれに対応して空気供給孔２５ｆ、２５ｇが形成されている。つまり、一方の空気供給孔２５ｆは第１室２５ａと第１温調空間２１ａとを連通している。他方の空気供給孔２５ｇは第２室２５ｂと新鮮空気導入空間２１ｃとを連通している。
【００８８】
また、各室２５ａ、２５ｂの内部には、吸気孔２５ｄ、２５ｅから空気供給孔２５ｆ、２５ｇへ向かう気流を発生するための送風手段としての送風ファン２６ａ、２６ｂが収容されている。更に、第１室２５ａ内には温調手段としての電気ヒータ２７が収容されており、第１室２５ａ内に導入された空気を加熱するようになっている。
【００８９】
この構成により、各室内２５ａ、２５ｂの送風ファン２６ａ、２６ｂが駆動すると、吸気孔２５ｄ、２５ｅから第１室２５ａ及び第２室２５ｂに流入した空気が、空気供給孔２５ｆ、２５ｇを経て第１温調空間２１ａ及び新鮮空気導入空間２１ｃに流入する。この際、第１温調空間２１ａに流入する空気は、電気ヒータ２７によって加熱されて所定の高温度（例えば２５℃）になっている。
【００９０】
（熱交換体験装置２による熱交換体験動作の説明）
次に、上記の如く構成された熱交換体験装置２による熱交換体験動作について説明する。この体験動作では、装置本体２２の各送風ファン２６ａ、２６ｂを駆動すると共に、電気ヒータ２７に通電する。これにより、吸気孔２５ｄ、２５ｅから空気供給孔２５ｆ、２５ｇへ向かう気流が発生する（図８の矢印ＩＡ、IIＡ）。また、第１室２５ａ内に流入した空気は電気ヒータ２７によって加熱される。従って、新鮮空気導入空間２１ｃには常温の空気が流入し（図８の矢印IIＢ）、第１温調空間２１ａには比較的温度の高い空気が流入する（図８の矢印ＩＢ）。
【００９１】
第１温調空間２１ａに流入した空気は熱交換器２４の排気通路Ｉを経て排気空間２１ｄに達する（図８の矢印ＩＣ）。一方、新鮮空気導入空間２１ｃに流入した空気は熱交換器２４の導入通路ＩＩを経て第２温調空間２１ｂに達する（図８の矢印IIＣ）。この際、各空気は熱交換器２４において熱交換し、導入通路ＩＩを流れる空気は温度上昇し、逆に、排気通路Ｉを流れる空気は温度降下する。温度上昇して第２温調空間２１ｂに達した空気は、この第２温調空間２１ｂの上側に形成された開口２３ｆより装置外に排出される（図８の矢印IIＤ）。温度降下して排気空間２１ｄに達した空気は、この排気空間２１ｄの上側に形成された開口２３ｈより装置外に排出される（図８の矢印ＩＤ）。また、第１温調空間２１ａの上側に形成されている開口２３ｅからは、この第１温調空間２１ａ内の空気（電気ヒータ２７によって加熱された空気）の一部が漏れ出ている（図８の矢印ＩＥ）。同様に、新鮮空気導入空間２１ｃの上側に形成されている開口２３ｇからは、この新鮮空気導入空間２１ｃ内の空気（常温の空気）の一部が漏れ出ている（図８の矢印IIＥ）。
【００９２】
この状態において、体験者は各空間２１ａ、２１ｂ、２１ｃ、２１ｄの上側に形成されている開口２３ｅ、２３ｆ、２３ｇ、２３ｈに手を翳して空気に直接接触することでそれぞれの空気温度を体感する。これにより、熱交換器２４での熱交換状態を体験することができる。つまり、新鮮空気導入空間２１ｃの上側の開口２３ｇから流出する空気の温度と、第２温調空間２１ｂの上側の開口２３ｆから流出する空気の温度とを比較する。例えば、前者の温度は２０℃であるのに対し後者の温度は２３℃になっている。これにより、第２温調空間２１ｂに導入される空気が熱交換器２４において温度上昇したことを実感できるのである。また、第１温調空間２１ａの上側の開口２３ｅから流出する空気の温度と、排気空間２１ｄの上側の開口２３ｈから流出する空気の温度とを比較する。例えば、前者の温度は２５℃であるのに対し後者の温度は２２℃になっている。これにより、第１温調空間２１ａから排気空間２１ｄへ向かって流れる空気の温熱が、導入通路ＩＩを流れる空気に与えられたことを実感できるのである。
【００９３】
また体験者は、ケーシング２３内部の上面に貼着された温度計２１ｅ、２１ｅ、…によって各空間２１ａ、２１ｂ、２１ｃ、２１ｄの温度状態を視認することもできる。
【００９４】
このようにして、本熱交換体験装置２では、排出空気と導入空気との熱交換を行う熱交換器２４を備えた換気ユニットに対し、熱交換器２４の熱交換状態を空気に直接接触することで体感でき、換気ユニットの熱ロス低減効果を実感することができる。このため、体験者に対して、この種の換気ユニットの効果を十分に認識させることができる。
【００９５】
尚、本実施形態の熱交換体験装置２では、第１温調空間２１ａに流入する空気を電気ヒータ２７によって加熱し、新鮮空気導入空間２１ｃから第２温調空間２１ｂに向かって流れる空気を排出空気によって加熱していた。つまり、冬期の熱交換状態を想定したものであった。本発明は、これに限らず、第１温調空間２１ａに流入する空気を冷却し、新鮮空気導入空間２１ｃから第２温調空間２１ｂに向かって流れる空気を排出空気によって冷却するものとしてもよい。つまり、夏期の熱交換状態を想定したものとしてもよい。
【００９６】
（換気ユニット展示物３の構成説明）
次に、換気ユニット展示物３について説明する。
【００９７】
図１１は換気ユニット展示物３の展示状態を下側から見た斜視図、図１２は換気ユニット展示物３の内部構成を示す断面図である。
【００９８】
図１１に示すように、換気ユニット展示物３は展示用枠体５に吊り下げられた状態で展示されている。詳しくは、展示用枠体５は図２に示すように４本の脚体５ａ、５ａ、…の上端部分同士を梁材５ｂ、５ｂ、…で連結した構造物である。図１１に示すように、この梁材５ｂ、５ｂ（この図１１では仮想線で示している）の間には、連結梁５ｃ、５ｃが架設されている。換気ユニット展示物３は、図示しない吊り下げボルトによって、この連結梁５ｃ、５ｃに吊り下げ支持されている。
【００９９】
本換気ユニット展示物３は、ケーシング３２内に上記熱交換器３１が収容されて構成されている。この熱交換器３１も上述した熱交換体験装置２の熱交換器２４と同様の静止形の全熱交換器である。
【０１００】
図１２に示すように、ケーシング３２の左右両側面には開口３２ａ、３２ｂ、３２ｃ、３２ｄが形成されている。この図１２における３２ａは室内から空気を排出するための室内側排気口である。３２ｂは室内へ空気を導入するための室内側導入口である。３２ｃは室外から空気を導入するための室外側導入口である。３２ｄは室外へ空気を排出するための室外側排気口である。これら各口３２ａ、３２ｂ、３２ｃ、３２ｄにはダクト３３ａ、３３ｂ、３３ｃ、３３ｄが接続されている。換気ユニットを実際に住宅に据え付ける際には、室内側排気口３２ａ及び室内側導入口３２ｂに接続しているダクト３３ａ、３３ｂは室内まで延びてこの室内で開放する。一方、室外側導入口３２ｃ及び室外側排気口３２ｄに接続しているダクト３３ｃ、３３ｄは室外に延びてこの室外で開放する。これらダクト３３ａ、３３ｂ、３３ｃ、３３ｄのうち室内側導入口３２ｂに接続しているダクト３３ｂの開放端（室内側端）及び室外側排気口３２ｄに接続しているダクト３３ｄの開放端（室外側端）には複数本のビニルテープ３３ｅが取り付けられている。これは、これらダクト３３ｂ、３３ｄから空気が吹き出されていることを容易に認識するための構成である。
【０１０１】
上記熱交換器３１は、ケーシング３２内の中央部に設置されている。この熱交換器３１の外側面と、ケーシング３２の内壁面との間には複数の隔壁３４ａ、３４ｂ、３４ｃ、３４ｄが設けられている。具体的には、熱交換器３１の外面の４箇所にこれら隔壁３４ａ、３４ｂ、３４ｃ、３４ｄが設けられている。これにより、ケーシング３２の内部には、上記各口３２ａ、３２ｂ、３２ｃ、３２ｄに対応し、且つ熱交換器３１を囲むように配置された４個の独立した空間３５ａ、３５ｂ、３５ｃ、３５ｄが形成されている。上記室内側排気口３２ａにより開放された空間は室内側排気空間３５ａである。室内側導入口３２ｂにより開放された空間は室内側導入空間３５ｂである。室外側導入口３２ｃにより開放された空間は室外側導入空間３５ｃである。室外側排気口３２ｄにより開放された空間は室外側排気空間３５ｄである。
【０１０２】
また、熱交換器３１は、上述した熱交換体験装置２の熱交換器２４と同様の空気通路を備えている。つまり、室内側排気空間３５ａと室外側排気空間３５ｄとを連通する排気通路と、室外側導入空間３５ｃと室内側導入空間３５ｂとを連通する導入通路を備えている。この排気通路を流れる空気と導入通路を流れる空気とを熱交換させる構成である。
【０１０３】
上記室内側導入空間３５ｂには、室外側導入空間３５ｃから室内側導入空間３５ｂへ向かう気流を生じさせる送風ファン３６が収容されている。同様に、室外側排気空間３５ｄには、室内側排気空間３５ａから室外側排気空間３５ｄへ向かう気流を生じさせる送風ファン３７が収容されている。
【０１０４】
（換気ユニット展示物３の動作説明）
次に、上記の如く構成された換気ユニット展示物３の動作について説明する。上記送付ファン３６、３７を駆動すると、室外側導入空間３５ｃから室内側導入空間３５ｂへ向かう気流及び室内側排気空間３５ａから室外側排気空間３５ｄへ向かう気流が発生する。
【０１０５】
ダクト３３ａを経て室内側排気空間３５ａに流入した空気は、熱交換器３１の排気通路を経て室外側排気空間３５ｄに達する。同様に、ダクト３３ｃを経て室外側導入空間３５ｃに流入した空気は、熱交換器３１の導入通路を経て室内側導入空間３５ｂに達する。この際、各空気は熱交換器３１において熱交換される。室外側排気空間３５ｄに達した空気はダクト３３ｄにより排出される。この空気は実際の換気ユニットにおいては室外への排気となる。同様に、室内側導入空間３５ｂに達した空気はダクト３３ｂにより排出される。この空気は実際の換気ユニットにおいては室内への導入空気となる。
【０１０６】
各ダクト３３ｂ、３３ｄから空気が排出されることにより、これらダクト３３ｂ、３３ｄの開放端に取り付けられているビニルテープ３３ｅがはためく。これを体験者が目視することにより、換気ユニット内を十分な風量の空気が流れていることを確認できる。つまり、換気ユニットによる換気量が十分に確保されていることを体験者に実感させることができる。
【０１０７】
また、本換気性能展示設備Ｂでは、展示用枠体５の高さ寸法を、実際の住宅の室内高さに略一致させて、実際の住宅において据え付けられる位置と略同じ高さ位置に換気ユニット展示物３を展示している。また、換気体験装置１及び熱交換体験装置２を、換気ユニット展示物３の下側に配置している。このため、体験者は、換気ユニット展示物３の展示状態を見ることで、実際の換気ユニットの据え付け状態をイメージすることができる。また、換気体験装置１及び熱交換体験装置２を体験者が比較的見易い位置に配置しているので、住宅模型１２内の換気状態の認識及び熱交換器２４上下流の空気温度の体感動作を良好に行うことが可能である。
【０１０８】
尚、本実施形態では、換気ユニット展示物３を、上記換気体験装置１及び熱交換体験装置２の上方に展示している。本発明は、これに限らず、換気体験装置１や熱交換体験装置２の側方に展示するようにしてもよい。
【０１０９】
また、本実施形態では、換気体験装置１、熱交換体験装置２及び換気ユニット展示物３の３つの展示物を組み合わせて換気性能展示設備Ｂを構成していた。本発明は、これに限らず、これら３つの展示物のうち２つを組み合わせて換気性能展示設備Ｂを構成してもよい。
【０１１０】
−床防音体験装置Ｃの説明−
次に、本発明でいう性能体験設備としての床防音体験装置Ｃについて説明する。図１３は床防音体験装置Ｃの正面図、図１４はその平面図である。これら図のように、本床防音体験装置Ｃは、躯体６１、６１によって支持された体験用小屋６と、落下物搬送手段としての落下物搬送機７とを備えている。
【０１１１】
体験用小屋６は、１階部分である体験室６２と、２階部分である騒音発生空間６３とが仕切り材６４によって上下に仕切られている。
【０１１２】
体験室６２は、四方が壁６２ａによって囲まれた空間である。つまり、この体験室６２は、２階建住宅の１階部分を想定して構成されたものである。この体験室６２の前側の壁６２ａにはドア６２ｂが設けられている。このドア６２ｂを開けて体験者が体験室６２内に入室できるようになっている。
【０１１３】
騒音発生空間６３は上方向及び水平方向に開放された空間である。この騒音発生空間６３は、２階建住宅の２階部分を想定して構成されたものである。
【０１１４】
次に、この体験室６２と騒音発生空間６３とを仕切っている仕切り材６４について説明する。この仕切り材６４は、図１３及び図１４における右側半分と左側半分とで床構造が異なっている。具体的には、図中右側の床構造体６５は在来木造床構造で成っている。一方、左側の床構造体６６はＡＬＣ床構造で成っている。図１３における６５ａ、６６ａは天井板、６５ｂ、６６ｂは床板、６５ｃは吊木、１５ｄは吊木受け、６６ｃはＡＬＣボード、６６ｄは天井梁、６６ｅは野縁、６６ｆは野縁受けである。つまり、本装置Ｃは、同一仕切り材６４の一部を在来木造床構造とし、他をＡＬＣ床構造とすることによって、この両者の防音性能の比較体験を可能とし、それによってＡＬＣ床構造の防音性能の優位性を体験することができるようにしたものである。
【０１１５】
次に、落下物搬送機７について説明する。図１５は落下物搬送機７を体験室６２側から見た側面図である。この落下物搬送機７は、上記仕切り材６４上面に鋼球等の落下物８を落下させて騒音を発生させるように落下物８を仕切り材６４上方まで搬送するようになっている。具体的に、この落下物搬送機７は、上記体験用小屋６の側方に設けられており、落下物８を仕切り材６４上方まで搬送するためのリフタ７１を備えている。このリフタ７１は、内部にリフト通路７２ａを有する角柱状のリフタ本体７２とリフタ本体７２の内部に収容されたリフト機構７３を備えている。このリフト機構７３は、リフト通路７２ａの上下両端部に位置して水平軸回りに回転するスプロケット７３ａ，７３ａを備えている。下側のスプロケット７３ａには図示しないモータの駆動軸が連結されている。この両スプロケット７３ａ，７３ａにはチェーン７３ｂが掛け渡されている。また、このチェーン７３ｂには落下物８を載置するためのパレット７３ｃが取り付けられている。つまり、上記モータの駆動によりスプロケット７３ａ，７３ａが回転し、それに伴ってチェーン７３ｂが走行する。これによりパレット７３ｃが上下移動する構成となっている。パレット７３ｃ上に落下物８を載置した状態でモータを駆動してパレット７３ｃを上昇移動させれば落下物８を仕切り材６４よりも高い位置まで搬送できる構成である。
【０１１６】
また、リフタ本体７２は、内部での落下物８の搬送状態が容易に認識できるように、各側面に大型の開口７２ｂが形成されている。
【０１１７】
更に、リフト通路７２ａの下端部分は体験室６２内に臨んでおり、その開口が供給口６２ｃを形成している。この供給口６２ｃには体験室６２内からの開放が可能な扉６２ｄが設けられている。この扉６２ｄの下側には、動作開始スイッチ６２ｅが設けられている。
【０１１８】
体験室６２の内壁面で上記供給口６２ｃの下側には複数の落下物８、８、８を置いておくための落下物ホルダ６２ｆが設けられている。この落下物ホルダ６２ｆには例えば３個の球体状の落下物８、８、８が置いてある。この落下物８、８、８は、それぞれ材質が異なっている。例えば、１つは鋼製、他の１つは木製、残りの１つは樹脂製である。仕切り材６４に落下させる落下物８を選択することで、発生する騒音の大きさや音の種類（例えば軽量衝撃音と重量衝撃音）などを変えることができるようになっている。
【０１１９】
また、上記仕切り材６４を構成している各床構造体６５、６６のうち、左側の床構造体６６の上面は、図１３の奥側及び右側の床構造体６５に向かって下り勾配となるように僅かに傾斜している。つまり、左側の床構造体６６上に落下した落下物８が右側の床構造体６５上に回収される形状となっている。一方、右側の床構造体６５の上面は、図１３の手前に向かって下り勾配となるように僅かに傾斜している。つまり、右側の床構造体６５上の落下物８がこの右側の床構造体６５上面の手前側に案内される形状となっている。
【０１２０】
図１６に示すように、この右側の床構造体６５上面の手前側部分には開口６５ｅが形成されている。この開口６５ｅの下側にはホッパ６５ｆが取り付けられている。このホッパ６５ｆの下側にはガイドプレート６５ｇが設けられている。このガイドプレート６５ｇは、一端がホッパ６５ｆの下側に臨み、他端がリフト通路７２ａの上下方向中間位置に臨んでいる。また、このガイドプレート６５ｇはリフト通路７２ａに臨む側が下側になるように傾斜配置されている。右側の床構造体６５上面の手前側に案内された落下物８が開口６５ｅを経てホッパ６５ｆに回収され、ガイドプレート６５ｇによりリフト通路７２ａ内に導入される構成である。
【０１２１】
また、落下物搬送機７は、リフタ７１により搬送された落下物８を仕切り材６４上面まで搬送するための搬送部材７４を備えている。この搬送部材７４は仕切り材６４上面の中央部に設けられたゲート７５と、該ゲート７５とリフタ７１の上端部とに亘る第１通路部材７６と、ゲート７５の両側に設けられて左右の各床構造体６５、６６の上方にそれぞれ延びる第２及び第３の通路部材７７、７８とを備えている。
【０１２２】
上記各通路部材７６、７７、７８はアクリル樹脂の管体で成っており、その内径寸法は落下物８の外径よりも僅かに大きく設定されている。つまり、リフト機構７３によりリフト通路７２ａの上端部に達した落下物８が、第１通路部材７６を経てゲート７５に達し、該ゲート７５により第２通路部材７７または第３通路部材７８のうちの一方の通路に案内されて仕切り材６４上面に落下するよう構成されている。この際、ゲート７５により落下物８が第２通路部材７７に案内された場合には該落下物８は在来木造床構造で成る右側の床構造体６５に落下する。一方、ゲート７５により落下物８が第３通路部材７８に案内された場合には該落下物８はＡＬＣ床構造で成る左側の床構造体６６に落下する。この構成により１台の落下物搬送機７で各床構造体６５、６６に対して選択的に落下物８を供給することができる。つまり、床構造体毎に落下物搬送機を設けておく必要がないため、装置全体としての構成の簡素化が図られている。
【０１２３】
ゲート７５の具体構成について説明すると、図１４に示すように、このゲート７５は鉛直軸回りに回転自在なＵ字状の回転体７５ａを備えている。この回転体７５ａの回転軸には図示しないモータの駆動軸が連結されている。通常状態では、この回転体７５ａは第１通路部材７６の下流端に対向して開放部が臨んでいる。落下物８を右側の床構造体６５に落下させる場合には、第１通路部材７６を経て回転体７５ａの開放部から該回転体７５ａの内部に落下物８を回収した状態で該回転体７５ａを図１４の反時計回り方向に回転させる。これにより、回転体７５ａの開放部が第２通路部材７７に臨み、落下物８は第２通路部材７７を経て右側の床構造体６５に落下する。逆に、落下物８を左側の床構造体６６に落下させる場合には、回転体７５ａの内部に落下物８を回収した状態で該回転体７５ａを図１４の時計回り方向に回転させる。これにより、回転体７５ａの開放部が第３通路部材７８に臨み、落下物８は第３通路部材７８を経て左側の床構造体６６に落下する。このように、回転体７５ａを回転させることにより、各床構造体６５、６６に対して落下物８を選択的に落下させることができるよう構成されている。
【０１２４】
また、本落下物搬送機７は、各モータの駆動を制御するコントローラを備えている。このコントローラによる落下物搬送機７のモータの制御としては、床防音体験動作が開始されると、先ず、図１６のＩ位置（供給口６２ｃに臨む初期位置）にあるパレット７３ｃをＩＩ位置（リフト通路７２ａの上端位置）まで上昇させた後、ＩＩＩ位置（ガイドプレート６５ｇに対向する位置）に移動させる。その後、ホッパ６５ｆ及びガイドプレート６５ｇを経た落下物８がパレット７３ｃ上に回収されると、このパレット７３ｃを再びＩＩ位置まで上昇させた後、ＩＩＩ位置に戻る。そして、上記と同様にして落下物８がパレット７３ｃ上に回収されるとこのパレット７３ｃをＩ位置に戻すように制御する。
【０１２５】
一方、ゲート７５のモータの制御としては、床防音体験動作が開始されてゲート７５内に落下物８が導入されると、回転体７５ａを図１４の反時計回り方向に回動させる。つまり、第２通路部材７７に落下物８を供給する。その後、再びゲート７５内に落下物８が導入されると、回転体７５ａを図１４の時計回り方向に回動させる。つまり、第３通路部材７８に落下物８を供給するように制御する。
【０１２６】
（床防音体験動作の説明）
次に、上記の如く構成された床防音体験装置Ｃによる床防音体験動作について説明する。この床防音体験動作は体験者が体験室内に居る状態で行われる。
【０１２７】
先ず、体験者は、落下物ホルダ６２ｆ上の落下物８、８、８のうち１つを選択し、体験室６２壁面の扉６２ｄを開けて落下物８をパレット７３ｃ上に載置する。動作開始スイッチ６２ｅを押すことにより、落下物搬送機７が駆動する。この駆動により、パレット７３ｃはリフト通路７２ａ内を上昇する。パレット７３ｃがリフト通路７２ａの上端部に達すると（図１６のＩＩ位置）、落下物８は第１通路部材７６に導入される。この落下物８は第１通路部材７６を経てゲート７５に達する。このゲート７５の回転体７５ａは図１４の反時計回り方向に回動して落下物８を第２通路部材７７に供給する。落下物８は、この第２通路部材７７を経て右側の床構造体６５上面に落下する。この際に体験室６２内に伝達する騒音を体験者は体感する。つまり、在来木造床構造の防音状態を体験する。
【０１２８】
右側の床構造体６５上面に落下した落下物８は、この床構造体６５上面の傾斜に沿って開口６５ｅの開放位置に案内され、この開口６５ｅからホッパ６５ｆに回収される。このホッパ６５ｆに回収された落下物８はガイドプレート６５ｇを経てリフト通路７２ａに戻る。この落下物８の回収動作と平行して、パレット７３ｃは図１６のＩＩＩ位置に移動している。このため、落下物８はパレット７３ｃ上に戻される。
【０１２９】
その後、パレット７３ｃは、リフト通路７２ａの上端部に移動する。落下物８は第１通路部材７６を経てゲート７５に達する。このゲート７５の回転体７５ａは図１４の時計回り方向に回動して落下物８を第３通路部材７８に供給する。落下物８は、この第３通路部材７８を経て左側の床構造体６６上面に落下する。この際に体験室６２内に伝達する騒音を体験者は体感する。つまり、ＡＬＣ床構造の防音状態を体験する。
【０１３０】
左側の床構造体６６上面に落下した落下物８は、この左側の床構造体６６及び右側の床構造体６５上面の傾斜に沿って開口６５ｅの開放位置に案内され、この開口６５ｅからホッパ６５ｆに回収される。このホッパ６５ｆに回収された落下物８はガイドプレート６５ｇを経てリフト通路７２ａに戻る。この場合にも、この落下物８の回収動作と平行して、パレット７３ｃは図１６のＩＩＩ位置に移動している。このため、落下物８はパレット７３ｃ上に戻される。このようにしてパレット７３ｃ上に落下物８が戻された後、パレット７３ｃが図１６のＩ位置まで下降して床防音体験動作が終了する。
【０１３１】
このようにして、床防音体験装置Ｃでは、在来木造床構造の防音状態と、ＡＬＣ床構造の防音状態とを連続して体験することが可能である。このため、体験者は、床構造体の仕様の選択を納得して行うことができる。また、短時間のうちに各床構造体６５、６６の床防音体験を連続して行うことができるため、それぞれの防音状態の比較を容易に行うことが可能である。
【０１３２】
尚、本実施形態では、２種類の床構造体の防音性能を比較可能とする床防音体験装置について説明したが、３種類以上の床構造体の防音性能を比較可能とするものであってもよい。
【０１３３】
−外壁パネルの性能展示設備Ｄの説明ー
次に、性能体験設備の１つとしての外壁パネルの性能展示設備Ｄについて説明する。この外壁パネルの性能展示設備Ｄは、種類の異なる外壁パネルの強度比較を体験する強度比較体験装置１００、各外壁パネルの透水性を比較する透水性比較装置１１０、各外壁パネルの拡大比較を体験する拡大比較体験装置１２０を備えている。図１７は外壁パネルの性能展示設備Ｄの全体構成の概略を示している。図１８は強度比較体験装置１００の全体構成の概略を示し、図１９はこの強度比較体験装置１００の使用状態を説明している。また、図２０は透水性比較装置１１０の全体構成の概略を示し、図２１はこの透水性比較装置１１０の使用状態を示している。さらに、図２２は拡大比較体験装置１２０の全体構成の概略を示し、図２３はこの拡大比較体験装置１２０の使用状態を示している。
【０１３４】
（強度比較体験装置１００の構成説明）
強度比較体験装置１００は、図１８及び図１９に示すように、展示室１０１と、試験片装着部１０２と、ハーケン１０３と、レバー１０４とを具備している。
【０１３５】
展示室１０１は、平面視で略矩形状を呈するプレート１０１ａと、このプレート１０１ａの上方を覆う透明の保護カバー１０１ｂとを備えている。プレート１０１ａは、図１７及び図１９に示すフロア面１０８に据え付けられた台座１０９の上面左側部に設置されている。この台座１０９の上面は、体験者Ｘ（大人）の股下高さ付近に位置している。また、保護カバー１０１ｂは、例えばポリカーボネートなどの強化プラスチック材料により断面略半円弧状に形成されてなる。この保護カバー１０１ｂは、プレート１０１ａの略中央に取り付けられ、プレート１０１ａ長手方向の両端部においてそれぞれ開口している。これにより、展示室１０１は、体験者Ｘが上方から保護カバー１０１ｂを介して内部を見渡せるようになっている。
【０１３６】
展示室１０１の内部には試験片装着部１０２が設けられている。この試験片装着部１０２は、プレート１０１ａ長手方向に亘って互いに平行に敷設された一対の試験片装着枠１０２ａ，１０２ａを備えている。この各試験片装着枠１０２ａ，１０２ａ間には、種類の異なる外壁パネルよりなる２つの第１及び第２試験片Ｄ１，Ｒ１がプレート１０１ａ長手方向に所定間隔隔て装着されている。この各試験片Ｄ１，Ｒ１としては、双方共に内部に気泡を含んだ軽量気泡コンクリートよりなる外壁パネルをそれぞれ直方体ブロック状に形成したものが用いられている。第１試験片Ｄ１（図１７及び図１８では左側）としては独立気泡のものが用いられ、一方、第２試験片Ｒ１（図１７及び図１８では右側）としては連続気泡のものが用いられている。各試験片Ｄ１，Ｒ１は、プレート１０１ａ短手方向の手前側（図１７及び図１８では左側）から見てプレート１０１ａ長手方向に並んで展示されている。
【０１３７】
ハーケン１０３は、各試験片Ｄ１，Ｒ１に対しそれぞれ個別に打ち付けられるように個々に配置されている。この各ハーケン１０３は、展示室１０１内の奥側つまりプレート１０１ａ短手方向の奥側（図１９では右側）にある回転軸１０５に対し直交して延設されたそれぞれのロッド１０６の途中に設けられている。各回転軸１０５は、プレート１０１ａ短手方向の奥側にそれぞれ立設された一対の回転軸支持部材１０７，１０７の上端部間に回転自在に架設されている。各ハーケン１０３は、回転軸１０５を支点とする軌跡α（図１９に表れる）でそれぞれ上下方向に回動するようになされ、下方への回動時に各試験片Ｄ１，Ｒ１に対しそれぞれ個別に打ち付けられる。
【０１３８】
また、各試験片装着枠１０２ａと各回転軸支持部材１０７との間に位置するプレート１０１ａ上にはそれぞれストッパ片１０８（図１９に一方のみ示す）が立設されている。この各ストッパ片１０８は、ハーケン１０３により試験片Ｄ１，Ｒ１が打ち砕かれてさらに下方に回動しようとするときに、ロッド１０６を当接させることで、ハーケン１０３の下方への回動を規制するようにしている。各ロッド１０６の先端は、保護カバー１０１ｂに開口するスリット１０１ｃ，１０１ｃを介して展示室１０１外に突出している。この各スリット１０１ｃは、保護カバー１０１ｂを各ハーケン１０３の回動方向つまり軌跡α方向に則して切り欠いて形成されてなる。
【０１３９】
レバー１０４は、各スリット１０１ｃを介して展示室１０１外に突出するロッド１０６の先端部に、それぞれ回転軸１０５と直交するように取り付けられている。
【０１４０】
（強度比較体験装置１００の使用方法の説明）
次に、強度比較体験装置１００の使用方法を図１８及び図１９に基づいて説明する。
【０１４１】
先ず、図１８に示すように、使用するに当たり、試験片装着部１０２の試験片装着枠１０２ａ，１０２ａ間の所定位置（プレート１０１ａ長手方向で所定間隔隔てた位置）に、独立気泡の第１試験片Ｄ１及び連続気泡の第２試験片Ｒ１を、保護カバー１０１ｂ両端部の開口を介してそれぞれ装着する。
【０１４２】
次いで、図示しない体験者Ｘ自らの手で、第１及び第２試験片Ｄ１，Ｒ１の強度を順に比較して体験する。
【０１４３】
すなわち、一方のレバー１０４（例えば第１試験片Ｄ１に対応する左側のレバー１０４）を、図１９に仮想線（二点鎖線）で示す位置まで上方へ回動させる。このとき、レバー１０４は、体験者Ｘの肩口付近の高さに位置付けられる。
【０１４４】
そして、この一方のレバー１０４を、図１８及び図１９に示す実線位置まで体験者Ｘ自らの手で下方へ回動させることにより、第１試験片Ｄ１の上面にハーケン１０３を打ち付ける。
【０１４５】
このとき、独立気泡の第１試験片Ｄ１は、その上面にハーケン１０３の打ち付けによる凹みが生じ難く、到底打ち砕けないことが体験できる。
【０１４６】
一方、上記一方のレバー１０４と同様に、他方のレバー１０４（例えば第２試験片Ｒ１に対応する右側のレバー１０４）を上方へ回動させ、この他方のレバー１０４を体験者Ｘ自らの手で下方へ回動させることにより、第２試験片Ｒ１の上面にハーケン１０３を打ち付ける。
【０１４７】
このとき、連続気泡の第２試験片Ｒ１では、第１試験片Ｄ１と同程度のハーケン１０３の打ち付によって上面に凹みが生じ易く、場合によって打ち砕かれることが体験できる。
【０１４８】
従って、第１試験片Ｄ１及び第２試験片Ｒ１に対しそれぞれハーケン１０３を個別に打ち付けて各試験片Ｄ１，Ｒ１の強度を比較することが可能となり、この強度を比較する実体験によって、各試験片Ｄ１，Ｒ１つまり二種類の異なる外壁パネルの強度差が明確なものとなる。これにより、これらの外壁パネルの強度の違いを容易に把握してもらうことができ、その強度差を印象付けることができる。
【０１４９】
また、レバー１０４を下方に回動させる際の勢い、つまりどの程度の力の掛け具合で、ハーケン１０３が各試験片Ｄ１，Ｒ１に対し打ち付けられるかといったことがある程度予測できるので、各試験片Ｄ１，Ｒ１の打ち付け部位の凹み具合などを見極めることで、各試験片Ｄ１，Ｒ１の強度を実感することができる。
【０１５０】
加えて、試験片Ｄ１，Ｒ１の違いによっては、同程度の打ち付け力で凹んだり、凹まなかったりするので、各試験片Ｄ１，Ｒ１の種類毎の強度の違いを実感することができる。
【０１５１】
さらに、ハーケン１０３によって各試験片Ｄ１，Ｒ１を打ち付ける場合、各試験片Ｄ１，Ｒ１は透明の保護カバー１０１ｂにより被覆されているので、各試験片Ｄ１，Ｒ１の破片が展示室１０１外に飛散することはなく、各試験片Ｄ１，Ｒ１の強度比較体験を安全に行うことができる。
【０１５２】
（透水性比較装置１１０の構成説明）
透水性比較装置１１０は、図２０及び図２１に示すように、展示室１１１を具備している。
【０１５３】
展示室１１１は、平面視で略矩形状を呈するプレート状の展示台１１２と、この展示台１１２を前後左右方向及び上方から覆う透明の保護カバー１１３とを備えている。展示台１１２は、図１７に示すように、台座１０９の上面略中央部に設置されている。
【０１５４】
保護カバー１１３は、展示台１１２をそれぞれ前後方向から覆う左右方向に長い略矩形状の第１及び第２透明板１１３ａ，１１３ｂと、展示台１１２をそれぞれ左右方向から覆う略正方形状の第３及び第４透明板１１３ｃ，１１３ｄと、展示台１１２を上方から覆う左右方向に長い第５透明板１１３ｅとからなり、展示台１１２とで左右方向に長い略ボックス状に形成されてなる。この保護カバー１１３つまり第１〜第５透明板１１３ａ〜１１３ｅは、例えばポリカーボネートなどの強化プラスチック材料により構成され、その各辺をそれぞれ接着剤（図示せず）で接着することにより、展示室１１１内を略気密状態に保持するようにしている。
【０１５５】
この展示室１１１内には、種類の異なる外壁パネルよりなる２つの第１及び第２試験器Ｄ２，Ｒ２が、展示台１１２短手方向の手前側（図２１では左側）から見て展示台１１２の長手方向（左右方向）に互いに隣接して展示されている。この各試験器Ｄ２，Ｒ２としては、双方共に内部に気泡を含んだ軽量気泡コンクリートよりなる略矩形状の外壁パネル片Ｄａ，Ｒａをそれぞれ組み立てたものが適用されている。そして、第１試験器Ｄ２（図２０では左側）を組み立てるに当たり、独立気泡の外壁パネル片Ｄａ，…が４枚用いられている。また、第２試験器Ｒ２（図２０では右側）を組み立てるに当たり、連続気泡の外壁パネル片Ｒａ，…が４枚用いられている。
【０１５６】
各試験器Ｄ２，Ｒ２は、展示台１１２上にそれぞれ伏せて安定良く設置される外壁パネル片Ｄａ，Ｒａの左右両側縁及び後縁に対し残る３枚の各外壁パネル片Ｄａ，Ｒａを水密状態に接着して組み付けられている。これにより、前方に開口する開口部としての前方開口部Ｄｂ，Ｒｂ及び上方に開口する上方開口部Ｄｃ，Ｒｃがそれぞれ形成されてなる。
【０１５７】
第１試験器Ｄ２の各外壁パネル片Ｄａでは、独立気泡であるために敢えて薄肉なものが適用されている。これに対し、第２試験器Ｒ２の各外壁パネル片Ｒａでは、連続気泡であるために第１試験片Ｄ２のものよりも厚肉な略２倍の肉厚のものが適用されている。この場合、各試験器Ｄ２，Ｒ２の内部寸法、つまり上下方向内寸法、左右方向内寸法及び前後方向内寸法（奥行き方向内寸法）は、それぞれ一致するようになされている。
【０１５８】
各試験器Ｄ２，Ｒ２の前方開口部Ｄｂ，Ｒｂにはそれぞれ透明板１１４が装着されている。この各透明板１１４は、例えばアクリル材料よりなり、各試験器Ｄ２，Ｒ２の前方開口部Ｄｂ，Ｒｂを水密状態で遮蔽するようになされている。各試験器Ｄ２，Ｒ２は、それぞれ透明板１１４により前方開口部Ｄｂ，Ｒｂを遮蔽することによって内部容積が一致するようになされている。各試験器Ｄ２，Ｒ２内には、それぞれ上方開口部Ｄｃ，Ｒｃを介して同量の水Ｗが満水状態に貯留されるようになっている。この場合、各試験器Ｄ２，Ｒ２の外壁パネル片Ｄａ，Ｒａの肉厚に差があるため、第１試験器Ｄ２はその下面にスペーサ１１５（図２０に表れる）を介して展示台１１２上に設置されている。これにより、各試験器Ｄ２，Ｒ２内に当初満水状態に貯留された互いの水Ｗの水位が前方より見て一致するようになっている。
【０１５９】
（透水性比較装置１１０の使用方法の説明）
次に、透水性比較装置１１０の使用方法を図２０及び図２１に基づいて説明する。
【０１６０】
この場合、使用するに当たり、展示台１１２の上面に、独立気泡の外壁パネル片Ｄａよりなる第１試験器Ｄ２をスペーサ１１５を介して装着すると共に、連続気泡の外壁パネル片Ｒａよりなる第２試験器Ｒ２を装着し、この各試験器Ｄ２，Ｒ２を展示台１１２長手方向（左右方向）に互いに隣接するように展示しておく。
【０１６１】
先ず、展示室１１１の展示台１１２の上面に装着した第１試験器Ｄ２及び第２試験器Ｒ２の内部にそれぞれ上方開口部Ｄｃ，Ｒｃを介して水Ｗを同量注入する。このとき、各試験器Ｄ２，Ｒ２内に満水状態に貯留した互いの水Ｗの水位を前方より見て互いに一致させておく。
【０１６２】
次いで、展示台１１２に対し保護カバー１１３を装着し、展示室１１１内を気密状態にする。これにより、各試験器Ｄ２，Ｒ２内の水Ｗの蒸発を効果的に抑制できることになる。
【０１６３】
しかる後、例えば数十分経過した後、各試験器Ｄ２，Ｒ２の透水性を比較する。すなわち、体験者Ｘ自らの目で、第１及び第２試験器Ｄ２，Ｒ２内に貯留されてから数十分経過後の水Ｗの水位をそれぞれ透明板１１４を介して覗き見る。このとき、第１試験器Ｄ２周囲の薄肉な外壁パネル片Ｄａには大した変化が見受けられないものの、第２試験器Ｒ２周囲の外壁パネル片Ｒａには、厚肉であるにもかかわらず内部から水Ｗが染み出したシミＷａ，…（図２０に表れる）の発生が随所に窺える。
【０１６４】
これにより、各試験器Ｄ２，Ｒ２内の水Ｗの経時的な透水による変化量（水位の変化）を一目で比較することが可能となり、種類の異なる外壁パネルの差が明確なものとなる。このため、種類の異なる外壁パネルの透水性の違いを容易に把握してもらうことができ、その透水性の差を印象付けることができる。
【０１６５】
しかも、厚肉であるにもかかわらず第２試験器Ｒ２の周囲においてのみ内部から水Ｗが染み出すシミＷａにより、各外壁パネルの透水性の差を各試験器Ｄ２，Ｒ２によってわかり易く実体験することができる。
【０１６６】
さらに、展示台１１２に対し保護カバー１１３を装着して展示室１１１内を略気密状態にすることにより、各試験器Ｄ２，Ｒ２内の水Ｗの蒸発を効果的に抑制し、各試験器Ｄ２，Ｒ２内の水Ｗの透水による変化量を正確に把握することができる。
【０１６７】
（拡大比較体験装置１２０の構成説明）
拡大比較体験装置１２０は、図２２及び図２３に示すように、装置本体１２１と、照射体１２２と、拡大鏡１２３とを具備している。
【０１６８】
装置本体１２１は、平面視で略矩形状を呈するプレート状に形成され、図１７に示すように、台座１０９の上面右側端部に設置されている。この場合、台座１０９上に設置された装置本体１２１は、人影などにより光が遮られ易い部位に位置している。
【０１６９】
また、装置本体１２１には展示部１２１ａが設けられている。この展示部１２１ａは、装置本体１２１上に装着される装着プレート１２１ｂと、この装着プレート１２１ｂ上に立設された支柱１２１ｃと、この支柱１２１ｃの先端に設けられ、上面が略水平状態となる直方体形状の展示台１２１ｄとを備えている。この展示台１２１ｄの上面は平面視で矩形状を呈している。
【０１７０】
展示部１２１ａの展示台１２１ｄ上には、種類の異なる外壁パネルよりなる２つの第１及び第２サンプル片Ｄ３，Ｒ３が展示台１２１ｄの上面に装着されている。この各サンプル片Ｄ３，Ｒ３としては、双方共に内部に気泡β（図２４及び図２５に表れる）を含んだ軽量気泡コンクリートよりなる外壁パネルをそれぞれ薄肉で略正方形状に形成したものが適用されている。そして、第１サンプル片Ｄ３（図２２では左側）としては独立気泡のものが用いられている。また、第２サンプル片Ｒ３（図２２では右側）としては連続気泡のものが用いられている。各サンプル片Ｄ３，Ｒ３は、展示台１２１ｄ上面短手方向の手前側（図２３では左側）から見て展示台１２１ｄの上面長手方向に互いに隣接して展示されている。
【０１７１】
照射体１２２は、装置本体１２１上の短手方向の奥側（図２３では右側）に設けられた配線案内カバー１２２ａと、この配線案内カバー１２２ａ上に立設されたスタンドアーム１２２ｂ（図２３に表れる）と、このスタンドアーム１２２ｂの上端に設けられた照明格納カバー１２２ｃと、この照明格納カバー１２２ｃ内に格納されたランプ１２２ｄ（図２３に表れる）とを備えている。
【０１７２】
配線案内カバー１２２ａは、装置本体１２１短手方向の奥側をその長手方向に沿って延設されている。この配線案内カバー１２２ａ内には、一端がコンセント（図示せず）に接続される配線１２２ｅの他端側が案内される。また、配線案内カバー１２２ａの上面には、ランプ１２２ｄを点灯又は消灯させる切換スイッチ１２２ｆが設けられている。
【０１７３】
スタンドアーム１２２ｂは、中空状に形成され、配線案内カバー１２２ａ上面の一端（図２３では奥側端）より上方に延設されている。このスタンドアーム１２２ｂは、配線案内カバー１２２ａ内を案内した配線１２２ｅの他端側が挿通可能となるよう中空状に形成され、配線１２２ｅの他端をランプ１２２ｄまで案内するようになっている。
【０１７４】
照明格納カバー１２２ｃは、配線案内カバー１２２ａの上方を装置本体１２１の長手方向に延びる略円筒状に形成されている。この照明格納カバー１２２ｃは、展示部１２１ａの展示台１２１ｄ上に装着された各サンプル片Ｒ３，Ｄ３よりも斜め上方に位置している。そして、照明格納カバー１２２ｃには装置本体１２１長手方向に延びる照射口１２２ｇ（図２３に表れる）が開口し、この照射口１２２ｇを介してランプ１２２ｄの光γ（図２３に表れる）が照射されるようになっている。この場合、照射口１２２ｇを介したランプ１２２ｄの光γは、図２３に二点鎖線で示すように、各サンプル片Ｄ３，Ｒ３の展示面Ｄｔ，Ｒｔに対し斜め上方から照射される。
【０１７５】
拡大鏡１２３は、照射体１２２の照明格納カバー１２２ｃに一体的に取り付けられた保持部１２３ａと、この保持部１２３ａに設けられた透明体１２３ｂと、透明体１２３ｂに設けられた２つの拡大レンズ１２３ｃ，１２３ｃとを備えている。
【０１７６】
保持部１２３ａは、プレート状に形成され、照明格納カバー１２２ｃの装置本体１２１長手方向略全域に亘って装置本体１２１短手方向手前側に突出してなる。この保持部１２３ａにはその周縁を残して開口する開口部１２３ｄが設けられ、この開口部１２３ｄは、装置本体１２１長手方向に長径な略楕円形状に形成されてなる。
【０１７７】
透明体１２３ｂは、例えばポリカーボネートなどの強化プラスチック材料により板状に形成され、保持部１２３ａの開口部１２３ｄに装着されている。この透明体１２３ｂには、略真円形状の２つの開口１２３ｅ，１２３ｅが装置本体１２１長手方向に並んで設けられている。この各開口１２３ｅ，１２３ｅは、各サンプル片Ｄ３，Ｒ３の展示面Ｄｔ，Ｒｔの上方にそれぞれ個別に対応している。この場合、透明体１２３ｂは、各サンプル片Ｄ３，Ｒ３の展示面Ｄｔ，Ｒｔを上方から略等倍率で透かし見れるようになされている。
【０１７８】
各拡大レンズ１２３ｃは、凸レンズよりなり、それぞれ透明体１２３ｂの各開口１２３ｅに装着されている。この各拡大レンズ１２３ｃは、展示部１２１ａの展示台１２１ｄ上面に展示された各サンプル片Ｄ３，Ｒ３の展示面Ｄｔ，Ｒｔに対しそれぞれ上方（装置本体１２１の外側方向）に所定間隔隔てた位置でほぼ面対向するようになっている。そして、各拡大レンズ１２３ｃ（拡大鏡１２３）は、体験者Ｘの胸部付近に位置し、装置本体１２１の外側となる上方から体験者Ｘが覗き見た際、図２４及び図２５に示すように、各拡大レンズ１２３ｃを介して各サンプル片Ｄ３，Ｒ３の展示面Ｄｔ，Ｒｔをそれぞれ拡大するようになされている。
【０１７９】
（拡大比較体験装置１２０の使用方法の説明）
次に、拡大比較体験装置１２０の使用方法を図２２〜図２５に基づいて説明する。
【０１８０】
この場合、使用するに当たり、展示台１２１ｄの上面に、独立気泡の第１サンプル片Ｄ３及び連続気泡の第２サンプル片Ｒ３を、展示台１２１ｄの上面長手方向に互いに隣接するように装着しておく。
【０１８１】
先ず、切換スイッチ１２２ｆを点灯側に切換えてランプ１２２ｄを点灯させ、このランプ１２２ｄの光γを、照射口１２２ｇを介して各サンプル片Ｄ３，Ｒ３の展示面Ｄｔ，Ｒｔに対し斜め上方から照射する。
【０１８２】
次いで、体験者Ｘ自らの目で、第１及び第２サンプル片Ｄ３，Ｒ３の展示面Ｄｔ，Ｒｔを順に拡大比較して体験する。
【０１８３】
すなわち、拡大鏡１２３の一方の拡大レンズ１２３ｃ（例えば第１サンプル片Ｄ３の上方に対応する左側の拡大レンズ１２３ｃ）を、図２３に一点鎖線で示すように、体験者Ｘが上体を屈めて装置本体１２１の上方から覗き見る。これにより、体験者Ｘは、図２４に示すように、独立気泡の第１サンプル片Ｄ３の上面において確かに気泡β，…同士が独立していることを体験者Ｘ自らの目でもって体験することができる。
【０１８４】
このとき、図２４に示すように、一方の拡大レンズ１２３ｃが第１サンプル片Ｄ３の展示面Ｄｔの範囲内に間違いなく位置付けられていることが、図２４において、透明体１２３ｂを介して透かし見えることで判明している。
【０１８５】
一方、拡大鏡１２３の一方の拡大レンズ１２３ｃの場合と同様に、他方の拡大レンズ１２３ｃ（例えば第２サンプル片Ｒ３の上方に対応する右側の拡大レンズ１２３ｃ）を、体験者Ｘが上体を屈めて装置本体１２１の上方から覗き見る。これにより、体験者Ｘは、図２５に示すように、連続気泡の第２サンプル片Ｒ３の上面において確かに気泡β，…同士が毛細管β１，…により連続していることを体験者Ｘ自らの目でもって体験することができる。
【０１８６】
このとき、図２５に示すように、他方の拡大レンズ１２３ｃが第２サンプル片Ｒ３の展示面Ｒｔの範囲内に間違いなく位置付けられていることが、透明体１２３ｂを介して透かし見えることで判明している。
【０１８７】
従って、第１サンプル片Ｄ３の展示面Ｄｔ及び第２サンプル片Ｒ３の展示面Ｒｔをそれぞれ個別の拡大レンズ１２３ｃ，１２３ｃを介して覗き見て各サンプル片Ｄ３，Ｒ３の展示面Ｄｔ，Ｒ３を交互に拡大比較することが可能となり、この各展示面Ｄｔ，Ｒｔを拡大比較する実体験によって、各サンプル片Ｄ３，Ｒ３つまり二種類の異なる外壁パネルの差が明確なものとなる。これにより、これらの外壁パネルの構造上の違いを容易に把握してもらうことができ、その構造上の差を印象付けることができる。
【０１８８】
また、各拡大レンズ１２３ｃがそれぞれ各サンプル片Ｄ３，Ｒ３の展示面Ｄｔ，Ｒｔの範囲内に間違いなく位置付けられていることが、略等倍率の透明体１２３ｂを介して透かし見えるので、各拡大レンズ１２３ｃがそれぞれ各サンプル片Ｄ３，Ｒ３の展示面Ｄｔ，Ｒｔの範囲内に間違いなく位置付けられていることが容易に判明する。このため、各拡大レンズ１２３ｃを覗き見ただけでは所望するサンプル片Ｄ３（又はＲ３）の展示面Ｄｔ（又はＲｔ）を見誤るおそれがあるといったことが確実に防止され、透明体１２３ｂを介して透かし見える各サンプル片Ｄ３，Ｒ３の展示面Ｄｔ，Ｒｔを各拡大レンズ１２３ｃを介して見誤ることなく交互に拡大比較することができる。
【０１８９】
しかも、各サンプル片Ｄ３，Ｒ３の展示面Ｄｔ，Ｒｔに対しランプ１２２ｄの光γを照射する照射体１２２が装置本体１２１に備えられているので、各拡大レンズ１２３ｃを覗き見た際に各サンプル片Ｄ３，Ｒ３の展示面Ｄｔ，Ｒｔを常時鮮明な状態で拡大比較することが可能となる。このため、装置本体１２１は、その設置場所に制限を受けることがなく、屋内や屋外を問わず設置可能な場所を拡大させることができる。
【０１９０】
以上、要するに、台座１０９の上面に強度比較体験装置１００、透水性比較装置１１０及び拡大比較体験装置１２０がそれぞれ設けられていることにより、種類の異なる２つの外壁パネルの性能（強度、透水性及び構造）の違いが明確なものとなり、外壁パネルの選択をスムーズに行うことができる。
【０１９１】
なお、本実施形態では、種類の異なる外壁パネルよりなる２つの第１及び第２試験片Ｄ１，Ｒ１の強度比較、第１及び第２試験器Ｄ２，Ｒ２の透水性比較、及び第１及び第２サンプル片Ｄ３，Ｒ３の拡大比較をそれぞれ体験できるようにしたが、種類の異なる外壁パネルよりなる３つ以上の試験片の強度比較、各試験器の透水性比較及び各サンプル片の拡大比較を体験できるようにしてもよい。この場合には、例えば、独立気泡の第１試験片、第１試験器及び第１サンプル片、並びに連続気泡の第２試験片、第２試験器及び第２サンプル片に加えて、気泡同士が部分的に一部連続する第３試験片、第３試験器及び第３サンプル片などとの性能比較をも体験することができる。
【０１９２】
また、本実施形態では、強度比較体験装置１００の各試験片装着枠１０２ａ，１０２ａ間に第１及び第２試験片Ｄ１，Ｒ１を装着したが、この各試験片が各試験片装着枠に対しプレート長手方向に移動可能に載置されるようにし、ハーケンを打ち付ける度ごとに各試験片をプレート長手方向に移動させることで、ハーケンによる各試験片への打ち付けが新規の箇所で行われるようにして体験者に分かり易いようにしてもよいのは勿論である。さらに、本実施形態では、各試験片Ｄ１，Ｒ１にそれぞれ個別に対応するハーケン１０３，１０３を備えたが、各試験片をプレート上で移動可能に載置し、ハーケンの打ち付け部位に各試験片を交互に位置付けることで、単一のハーケンによって各試験片( 外壁パネル) の強度比較を体験することが可能となる。
【０１９３】
さらに、本実施形態の透水性比較装置１１０では、４枚の外壁パネル片Ｄａ，Ｒａにより各試験器Ｄ２，Ｒ２を形成したが、外壁パネル片の枚数が限定されるものではなく、底部と開口部を有する周囲とを備えていれば各試験器が何枚の外壁パネルで形成されていてもよい。しかも、各試験器が厚肉な単一の外壁パネル片により形成されるようにしてもよく、この場合には、単一の外壁パネル片の内部を液体貯留可能にくり抜いて上方及び前方に開口する開口部を形成する必要がある。また、本実施形態では、第１試験器Ｄ２の外壁パネル片Ｄａとして、第２試験器Ｒ２の外壁パネル片Ｒａの肉厚の略半分のものを適用したが、第２試験器の外壁パネル片と同厚の厚肉な独立気泡の外壁パネル片により第１試験器が形成されていてもよいのは勿論である。
【０１９４】
しかも、本実施形態の拡大比較体験装置１２０では、ランプ１２２ｄの光γを照射する照射体１２２を構成したが、太陽光などを反射させて展示台上の各サンプル片の展示面を照射するような光源を持たない反射板などにより照射体が構成されていてもよいのは勿論である。このような照射体は、必ずしも必要不可欠な用件ではなく、室内外を問わず各サンプル片の展示面に対し十分に光が照射されていれば、敢えて設ける必要がない。
【０１９５】
さらにまた、本実施形態では、拡大鏡１２３に２つの拡大レンズ１２３ｃ，１２３ｃを設けたが、各サンプル片の展示面に対応する単一の拡大レンズが設けられるようにしてもよい。また、各サンプル片のうち、１つのサンプル片の展示面ごとに複数対応する複数の拡大レンズが設けられるようにしてもよく、この場合には、複数の体験者が１つのサンプル片の展示面を複数の拡大レンズを介して同時に覗き見ることができる。しかも、本実施形態では、装置本体１２１に拡大鏡１２３を一体的に設けたが、装置本体と拡大鏡とが別体で設けられていてもよい。
【０１９６】
また、本実施形態では、各サンプル片Ｄ３，Ｒ３の展示面Ｄａ，Ｒａの上方に各拡大レンズ１２３ｃ，１２３ｃ（拡大鏡１２３）を対向させたが、各サンプル片の展示面が前面向き又は斜め上方向向きなどに配されるようにしてもよい。この場合には、拡大レンズは展示面の前向又は斜め上方などにおいて面対向するように配置されることになる。つまり、体験者が拡大レンズを介して展示面を覗き見れる方向であれば、どのような方向であってもよい。
【０１９７】
−セントラルクリーナ解説装置Ｅの説明−
次に、疑似体験設備の１つとしてのセントラルクリーナ解説装置Ｅについて説明する。図２６はセントラルクリーナー解説装置Ｅの全体構成の概略を示している。
【０１９８】
すなわち、このセントラルクリーナー解説装置Ｅは、図２６に示すように、装置本体１３０と、透明配管１４０と、吸引装置１５０と、可撓性ホース１６０とを具備している。
【０１９９】
装置本体１３０は、上下方向に長い略矩形状の疑似室内壁１３１と、疑似室内壁１３１と略同一の外形をなし、この疑似室内壁１３１の後方に所定間隔隔てて面対向する疑似室外壁１３２と、この両壁１３１，１３２の周囲を前後方向に連結する外枠１３３とを備えている。この装置本体１３０は、その両壁１３１，１３２及び外枠１３３により略薄箱状に形成され、脚部１３４によりフロア面１０８上に立設されてなる。
【０２００】
疑似室内壁１３１の左側部には上下方向に長い開口部１３５が設けられている。この開口部１３５に対応する疑似室外壁１３２の左側部上には展示室１３６が設けられ、この展示室１３６は開口部１３５を介して前方に露呈されてなる。この場合、開口部１３５を介して前方に露呈する展示室１３６上（疑似室外壁１３２の左側部上）には、暗色の塗装が施されている。
【０２０１】
透明配管１４０は、展示室１３６に装着されている。この透明配管１４０は、長さの異なる４種類の透明管１４１ａ，１４１ｂ，１４１ｃ，１４１ｄと、この各透明管１４１ａ〜１４１ｄの端部同士を連結する複数のエルボー管１４２，…とを備えている。各透明管１４１ａ〜１４１ｄのうち、最短尺の短尺透明管１４１ａ及び次点の中尺透明管１４１ｂはそれぞれ複数本設けられ、一方、長尺透明管１４１ｃ及び最長尺の最長尺透明管１４１ｄはそれぞれ単一本設けられている。
【０２０２】
この透明配管１４０は、展示室１３６内（疑似室外壁１３２の左側部上）において各透明管１４１ａ〜１４１ｄ及び各エルボー管１４２を交互に接続することによって縦横に蛇行するヘアピン状に配され、単一本で全長の長いものとなるようになされている。透明配管１４０は、略Ｕ字状の複数の保持具１４３，…によって短尺透明管１４１ａを除く中尺透明管１４１ｂ、長尺透明管１４１ｃ及び最長尺透明管１４１ｄの両端部付近をそれぞれ支持した状態で、疑似室外壁１３２の左側部上に据え付けられてなる。この各中尺透明管１４１ｂのうち、最も上流側（図では右下）に位置する中尺透明管１４１ｂの上流端（図では右端）は、エルボー管１４２を介して最上流側配管１４４の下流端（図では左端）に連結されている。
【０２０３】
吸引装置１５０は、略ボックス状に形成され、装置本体１３０の展示室１３６よりも下側の前方位置においてフロア面１０８上に据え付けられている。この吸引装置１５０は、その内部に吸引ブロワ（図示せず）を備え、この吸引ブロワの吸込口に回収部（図示せず）を介して透明配管１４０の一端、つまり最下流側に位置する最長尺透明管１４１ｄの下流端（図では下端）が連結されている。この回収部は、吸引空気通過可能な袋状に形成され、吸引ブロワにより吸引力が付与された被吸引物としてのティッシュペーパーＴａなどが回収されるようになされている。この場合、ティッシュペーパーＴａは、ティッシュボックスＴより引き出したものが適用される。
【０２０４】
可撓性ホース１６０は、例えば筒状の塩化ビニール樹脂材を蛇腹状に形成して三次元方向の何れにも変形可能となされ、その可撓性ホース１６０の他端側には把持部１６１が設けられている。この把持部１６１には、吸引ブロワを作動又は停止させる切換スイッチ１６２が設けられている。
【０２０５】
この可撓性ホース１６０は、疑似室内壁１３１の右側部下端に開設される吸引口１６３に一端が着脱可能に装着され、装置本体１３０外方に導出されてなる。この吸引口１６３には、透明配管１４０の他端、つまり最上流側配管１４４の上流端（図では右端）が連結されている。
【０２０６】
可撓性ホース１６０の他端部（先端部）には、複数種類の吸引ノズル１６４（図では一種類のみ示す）が択一的に選択されて装着されるようになされている。また、疑似室内壁１３１の右側部上には断面略Ｌ字状のホース掛け部１６５が設けられ、このホース掛け部１６５に可撓性ホース１６０の途中部が上方から掛けられて可撓性ホース１６０の取りまとめがなされるようにしている。このホース掛け部１６５の下方に位置する疑似室内壁１３１の右側部上には、上方に開口する収納ボックス１６６が装着され、セントラルクリーナー解説装置Ｅの不使用時に可撓性ホース１６０及び吸引ノズル１６４が収納ボックス１６６内に収納されるようになされている。
【０２０７】
次に、このセントラルクリーナー解説装置Ｅの使用方法を図２６に基づいて説明する。
【０２０８】
この場合、使用するに当たり、可撓性ホース１６０及び吸引ノズル１６４を収納ボックス１６６内より取り出し、可撓性ホース１６０の一端を吸引口１６３（最上流側配管１４４の上流端）に装着するとともに、可撓性ホース１６０の他端に吸引ノズル１６４を装着しておく。そして、可撓性ホース１６０の途中部をホース掛け部１６５に掛けておく。
【０２０９】
先ず、可撓性ホース１６０を所定の吸い込み可能位置（図に示す位置）に位置付け、把持部１６１の切換スイッチ１６２を作動側に切り換えて吸引ブロワを作動させる。
【０２１０】
次いで、ティッシュペーパーＴａをティッシュボックスＴから単数又は複数引き出して用意する。
【０２１１】
その後、ティッシュペーパーＴａを吸引ノズル１６４の先端に近づけ、吸引ブロワの吸引力によりティッシュペーパーＴａを吸引し、可撓性ホース１６０から透明配管１４０を経て吸引装置１５０の回収部にティッシュペーパーＴａを回収する。
【０２１２】
このとき、可撓性ホース１６０から透明配管１４０を経て吸引されるティッシュペーパーＴａを透明配管１４０を介して透かし見ることによって、ティッシュペーパーＴａの吸引状態を目の当たりにして見れることになる。しかも、展示室１３６内を縦横に蛇行する全長の長い透明配管１４０を用いていることで、実際に住宅建物の壁内において各階に亘って配される長い配管に則したティッシュペーパーＴａの吸引状態を実地検分さながらに見れることになる。これにより、内部の見えないセントラルクリーナーが具体的に解説され、壁内に配されて目に触れることがない配管の様子や、その配管内部でのティッシュペーパーＴａの吸引状態などを強く印象付けることができる。
【０２１３】
さらに、開口部１３５を介して前方に露呈する展示室１３６上に暗色の塗装が施されていることによって、透明配管１４０内を通過するティッシュペーパーＴａとの色彩のコントラストが明確なものとなり、透明配管１４０内部でのティッシュペーパーＴａの吸引状態が鮮明なものとなり、ティッシュペーパーＴａの吸引状態をわかり易く解説することができる。
【０２１４】
なお、本実施形態では、単一の透明配管１４０を展示室１３６に展示したが、実際に住宅建物の壁内において各階に亘って配されるように複数に枝分かれする透明配管が展示室に展示されるようにしてもよい。この場合には、一般には内部の見えないセントラルクリーナーがより正確に解説されることになる。
【０２１５】
さらに、上記実施形態では、展示室１３６上に暗色の塗装を施したが、被吸引物との色彩のコントラストが明確となれば、展示室上にどのような色が施されていてもよいのは勿論である。また、被吸引物としても、ティッシュペーパーに限定されることはなく、透明配管内での吸引状態が明確となるものであれば何を用いても良い。
【０２１６】
−浴槽またぎ寸法体験装置Ｆの説明−
次に、疑似体験設備としての浴槽またぎ寸法体験装置Ｆについて説明する。図２７は浴槽のまたぎ寸法体験装置Ｆの使用状態を示し、図２８は同またぎ寸法体験装置Ｆを背面側から見た作動部分の構成を示している。
【０２１７】
すなわち、この浴槽のまたぎ寸法体験装置Ｆは、図２７及び図２８に示すように、展示室１７０と、機械室１８０とを具備している。
【０２１８】
展示室１７０には、図２７及び図２８において左右方向に長い横長長方形状の浴槽１７１が展示されている。この浴槽１７１は、その左右両方向から浴槽１７１を挟んで互いに対峙するよう立設された左右の対峙壁１７２，１７３と、浴槽１７１の後方（図２８では手前方向）に立設された縦壁１７４とにより、３方向から摺接状態で囲まれてなる。浴槽１７１の前方（図２８では奥方向）には、疑似洗い場１７５が設けられている。この場合、浴槽１７１内には、疑似洗い場１７５から浴槽１７１の縁１７１ａをまたいで入るようになされている。
【０２１９】
機械室１８０は、浴槽１７１の下方に設けられ、平面視で浴槽１７１よりも一回り大きな横長長方形状に形成されてなる。この機械室１８０は、縦壁１７４の下部に開口する開口部１８１を介して後方に開放されている。この開口部１８１には左右一対の観音扉１８２，１８２が設けられ、この観音扉１８２，１８２の閉時に機械室１８０が後方から遮蔽されるようになされている。機械室１８０には、疑似洗い場１７５の床面１７５ａに対し浴槽１７１を上下方向に昇降移動させる昇降装置１９０が装備されている。この場合、疑似洗い場１７５の床面１７５ａは、昇降装置１９０が設置される機械室１８０の設置面１８０ａに対し少なくとも浴槽１７１の上下寸法に略一致する高さ分だけ高所に位置し、昇降装置１９０による浴槽１７１の最下降時に浴槽１７１の縁１７１ａが疑似洗い場１７５の床面１７５ａと一致する高さとなるようになされている。
【０２２０】
昇降装置１９０は、浴槽１７１の下端をブラケット１９１ａを介して固定する据付台１９１を備えている。この据付台１９１の下面には、それぞれ浴槽１７１の左右方向に亘って延びる前後一対の上側案内レール１９２（図２８では一方のみ示す）が敷設されている。機械室１８０内の設置面１８０ａには、各上側案内レール１９２に対応するようにそれぞれ浴槽１７１の左右方向に亘って延びる前後一対の下側案内レール１９４（図２８では一方のみ示す）が敷設されている。この各上側案内レール１９２と各下側案内レール１９４との間には略Ｘ字状のパンタグラフアーム１９５が設けられ、このパンタグラフアーム１９５は、各上端がそれぞれ各上側案内レール１９２に対し左右方向に相対移動可能に支持される一方、各下端がそれぞれ各下側案内レール１９４に対し左右方向に相対移動可能に支持され、その中央交差部の回転軸１９６を支点にして起伏動作可能に構成されてなる。そして、パンタグラフアーム１９５の一方の上部付近（図２８では右側上部付近）と、各下側案内レール１９４の一側端付近（図２８では右端付近）に位置する機械室１８０の設置面１８０ａ一側端との間には、油圧の給排により伸縮動する伸縮シリンダ１９７が設けられ、この伸縮シリンダ１９７の伸縮動により、パンタグラフアーム１９５を起伏動作させるようになされている。この場合、昇降装置１９０は、据付台１９１、各上側案内レール１９２、各下側案内レール１９４、パンタグラフアーム１９５及び伸縮シリンダ１９７を具備してなる。
【０２２１】
また、図２７に示すように、展示室１７０の右側の対峙壁１７３の対峙面１７３ａ及び左側の対峙壁１７２の前面１７２ａには表示手段としてのスケール２０１がそれぞれ設けられ、各スケール２０１によって、浴槽１７１の昇降移動量となる疑似洗い場１７５の床面１７５ａから浴槽１７１の縁１７１ａ間での高さ寸法、つまりまたぎ寸法Ｌが表示されることになる。右側の対峙壁１７３の対峙面１７３ａには上下方向に長い手摺り２０２が設けられ、この手摺り２０２をつかんで体験者Ｘが浴槽１７１の縁１７１ａをまたげるようにしている。右側の対峙壁１７３の前面１７３ｂ上部位置には、伸縮シリンダ１９７を伸長動させることにより浴槽１７１を上昇移動させる切換スイッチとしての上昇スイッチ２０３と、伸縮シリンダ１９７を収縮動させることにより浴槽１７１を下降移動させる切換スイッチとしての下降スイッチ２０４とがそれぞれ上下に並設されている。この各スイッチ２０３，２０４は、その押し込み操作時にのみ伸縮シリンダ１９７を伸縮動させて浴槽１７１を昇降移動させる一方、押し込み操作解除時に速やかに伸縮シリンダ１９７の伸縮動を中止して浴槽１７１の昇降移動を停止させるように構成されてなる。
【０２２２】
次に、この浴槽１７１のまたぎ寸法体験装置Ｆの使用方法を図２７及び図２８に基づいて説明する。
【０２２３】
この場合、使用するに当たり、浴槽１７１の縁１７１ａを疑似洗い場１７５の床面１７５ａに対し平均的な所定の高さ位置、例えば３７cmのまたぎ寸法Ｌに設定しておく。
【０２２４】
先ず、疑似洗い場１７５の床面１７５ａに体験者Ｘが立ち、図２７に一点鎖線で示すように左足Ｘａを上げ、浴槽１７１の縁１７１ａをまたぐ姿勢をとる。
【０２２５】
このとき、またぎ寸法Ｌが高いようであれば、下降スイッチ２０４を押込操作して浴槽１７１を下降させ、所望のまたぎ寸法となった時点で下降スイッチ２０４の押込操作を解除し、浴槽１７１の下降移動を停止させる。一方、またぎ寸法Ｌが低いようであれば、上昇スイッチ２０３を押込操作して浴槽１７１を上昇させ、所望のまたぎ寸法となった時点で上昇スイッチ２０３の押込操作を解除し、浴槽１７１の上昇移動を停止させる。これにより、体験者Ｘ自らによって浴槽１７１を昇降移動させてまたぎ寸法Ｌをこまめに変更でき、最適なまたぎ寸法Ｌを設定変更することが目の当たりにしながら行えることになる。
【０２２６】
その後、体験者Ｘが実際に浴槽１７１内にその縁１７１ａをまたいで入るなどして、またぎ寸法Ｌをこまめに繰り返し修正し、またぎ寸法Ｌを体験者Ｘに見合う高さに変更する。このとき、スケール２０１を読んで体験者Ｘに見合う高さのまたぎ寸法Ｌを自身で記憶しておく。
【０２２７】
このように、疑似洗い場１７５から浴槽１７１内に体験者Ｘが浴槽１７１の縁１７１ａをまたいで入る実体験によって、体験者Ｘに見合うまたぎ寸法Ｌを容易に把握してもらうことができ、そのまたぎ寸法Ｌが体験者Ｘに見合ったものであるという正確な判断基準を印象付けることができる。
【０２２８】
また、浴槽１７１の縁１７１ａのまたぎ具合で、浴槽１７１の縁１７１ａに対し体験者Ｘの脚Ｘａをどの程度上げる必要があるかといったことがある程度予測され、実際に体験者Ｘ自身が脚Ｘａの上げ具合などを体験することで、またぎ寸法Ｌを正確に実感することができる。
【０２２９】
しかも、スケール２０１を読んでまたぎ寸法を記憶しておくことで、体験者Ｘに見合う高さのまたぎ寸法Ｌを正確に把握することができる。
【０２３０】
さらに、この浴槽１７１のまたぎ寸法体験装置Ｆを、住宅展示場に設置しておき、この住宅展示場を訪れた人に体験してもらうことで、またぎ寸法Ｌによってまたぎ具合がどのように異なるかを身をもって知ってもらうことができる。
【０２３１】
なお、本実施形態では、表示手段としてスケール２０１を用いたが、浴槽１７１を昇降移動させた際のまたぎ寸法がデジタル表示されるようなデジタル表示板であってもよいのは勿論である。
【０２３２】
また、本実施形態では、一人の体験者Ｘに見合ったまたぎ寸法Ｌに設定変更する場合について述べたが、家人全員がそれぞれに見合うまたぎ寸法を把握し、その各データに基づいて家人全員に見合うまたぎ寸法が平均値などを採ることで把握されるようにしてもよい。
【０２３３】
−遮熱効果体験装置Ｇの説明−
次に、性能体験設備の１つとしての遮熱効果体験装置Ｇについて説明する。
【０２３４】
図２９および図３０は遮熱効果体験装置Ｇの全体構成の概略を示している。すなわち、この遮熱効果体験装置Ｇは、立ち位置Ｐを挟んで、開口部２１１を有する二枚の壁体２１０が対向配置され、この開口部２１１に、単板ガラス２２１およびペアガラス２２２を有するドア２２０がそれぞれ設けられ、これらの単板ガラス２２１およびペアガラス２２２を介して、それぞれ立ち位置Ｐに向けてライト２３０が照射するようになされたものである。
【０２３５】
立ち位置Ｐは、壁面２４０に面して設けられている。この壁面２４０にはカウンター２４１が設けられ、このカウンター２４１上に各種ガラスのサンプル２４２が設けられている。壁面２４０には、ライト２３０のオンオフを行うスイッチ２４３が設けられている。また、遮熱効果の違いを解説するパネル２４４が設けられている。
【０２３６】
壁体２１０は、立ち位置Ｐの両側に略対向配置するように配置される。この壁体２１０には、人Ｘが出入りできる程度の大きさの開口部２１１が、それぞれ対向するように設けられている。
【０２３７】
この開口部２１１が設けられた壁体２１０は、それぞれ箱体２１２を形成するようになされている。この箱体２１２内には、開口部２１１を介して立ち位置Ｐに向かって照射するライト２３０が設けられている。
【０２３８】
上記壁体２１０のうちの何れか一方の壁体２１０の開口部２１１には、単板ガラス２２１を有するドア２２０が取り付けられている。また、他方の壁体２１０の開口部２１１には、ペアガラス２２２を有するドア２２０が取り付けられている。
【０２３９】
このうち、単板ガラス２２１は、厚さ６ｍｍのものが使用されている。また、単板ガラス２２１の立ち位置Ｐ側の表面には、その時の単板ガラス２２１の温度を測定表示する温度表示装置２２１ａが設けられている。
【０２４０】
一方、ペアガラス２２２は、上記と同じ厚さ６ｍｍとなされた二枚の単板ガラス２２３を、８ｍｍの断熱空気層２２４を介して設けることによって構成されている。このペアガラス２２２の立ち位置Ｐ側の表面にも、その時のペアガラス２２２の温度を測定表示する温度表示装置２２２ａが設けられている。
【０２４１】
このようにして構成される遮熱効果体験装置Ｇは、立ち位置Ｐに立った人Ｘがスイッチ２４３を入れてライト２３０の照射を行えばよい。この際、人Ｘは、立ち位置Ｐの両側から照射されるライト２３０の照射熱を体に感じることとなるが、立ち位置Ｐの一方からは、単板ガラス２２１を介して照射されるライト２３０の照射熱を感じることとなり、立ち位置Ｐの他方からは、ペアガラス２２２を介して照射されるライト２３０の照射熱を感じることとなる。
【０２４２】
したがって、人Ｘは、単板ガラス２２１を介して照射されるライト２３０からの照射熱の方が、遮熱効果の高いペアガラス２２２を介して照射されるライト２３０からの照射熱よりも熱く感じることとなる。その結果、人Ｘは、単に立ち位置Ｐに立つだけで、単板ガラス２２１とペアガラス２２２との遮熱効果の違いを身をもって体験することができる。
【０２４３】
また、これら単板ガラス２２１およびペアガラス２２２が設けられたドア２２０を開けてライト２３０の照射熱を直接感じることもできるので、これら単板ガラス２２１とペアガラス２２２とがどの程度遮熱を行っているのかといったことも身をもって体験することができる。
【０２４４】
さらに、ライト２３０が切れたり、単板ガラス２２１またはペアガラス２２２の内側が汚れたような場合であっても、ドア２２０を開けて簡単にメンテナンス作業を行うことができる。
【０２４５】
なお、本実施の形態では、スイッチ２４３によってライト２３０のオンオフを行うようになされているが、このスイッチ２４３としては、一旦スイッチ２４３を押せば、所定時間後に自動的にオフになるようになされたものであってもよい。また、ライト２３０は、あらかじめ照射を行った状態としておいてもよいし、スイッチ２４３を使用せずに、立ち位置Ｐに人Ｘが立った際に、この人Ｘに反応して所定時間だけ照射電源が入るようになされたセンサースイッチ（図示省略）によって照射するようにしてもよい。
【０２４６】
また、本実施の形態では、壁体２１０の開口部２１１に、単板ガラス２２１およびペアガラス２２２を有するドア２２０をそれぞれ嵌め込んで、これら単板ガラス２２１とペアガラス２２２との遮熱効果の違いを体験できるようになされているが、これらガラスの組み合わせとしては、遮熱効果に差を生じるものであれば、特に限定されるものではない。また、交換する場合も、ドア２２０ごと簡単に交換することができる。
【０２４７】
−断熱性比較装置Ｈの説明−
次に、性能体験設備の１つとしての断熱性比較装置Ｈについて説明する。図３２は、本発明の実施例のうち、１つの冷却室に対して２つの空調室を設けた断熱性比較装置Ｈの全体構成の概略を示している。
【０２４８】
すなわち、この断熱性比較装置Ｈは、２つの空調室２５０、２５０’とこれら空調室２５０、２５０’に隣接する冷却室２６０とを具備し、空調室２５０と冷却室２６０との界壁２７０には窓ガラスとして単板ガラス２８０が、また、空調室２５０’と冷却室２６０との界壁２７０’には窓ガラスとして複層ガラス２９０が設けられている。
【０２４９】
２つの空調室２５０、２５０’は、全く同じ仕様で、二室が隣接して設けられている。これらの空調室２５０、２５０’はドア２５１、２５１’から入った正面の界壁２７０、２７０’の上方に空調用室内機３００、３００’が設けられている。また、各空調室２５０、２５０’内には加湿器３０１、３０１’が設けられている。
【０２５０】
この空調室２５０、２５０’は二室ともに生活に快適な所定の同一温度および同一湿度となるように空調される。
【０２５１】
ただし、空調室２５０、２５０’内への人の出入りが激しいと、空調室２５０、２５０’内の温度および湿度が安定するのに時間がかかることとなる。そのため各空調室には、それぞれ覗き窓２５２、２５２’が設けられ空調室２５０、２５０’に出入りしなくても、この覗き窓２５２、２５２’から空調室２５０、２５０’内の単板ガラス２８０および複層ガラス２９０の様子を良く把握できるようになされている。
【０２５２】
冷却室２６０は、各空調室２５０、２５０’の界壁２７０、２７０’に隣接して設けられている。この冷却室２６０は冷却用室内機３１０によって得られる冷気を冷気ファン３１１によって循環させることで、冬場の室外を見立てた０℃前後の所望の温度に調節できるようになされている。また、この冷却室２６０には、空調室２５０、２５０’から単板ガラス２８０および複層ガラス２９０を介して見える位置に、それぞれ冷却室２６０内の温度を表示する温度計２６１、２６１’が設けられている。
【０２５３】
この冷却室２６０は補修時以外、出入りするといったことはほとんど無いため、人が通れる程度の大きさの部屋に構成されている。
【０２５４】
また、単板ガラス２８０と複層ガラス２９０との間に、この冷却室２６０内の照明装置２６２が設けられている。
【０２５５】
単板ガラス２８０は、厚さ３ｍｍのフロート板ガラスを使用して構成されている。この単板ガラス２８０は空調室２５０の空調用室内機３００の下に設けられる。また、空調室２５０の室内側には、空調室２５０内の単板ガラス２８０表面の温度を示す温度計２８１が設けられている。
【０２５６】
複層ガラス２９０は、図３３に示すとおり、厚さ３ｍｍの二枚の板ガラス２９１、２９１’を、スペーサーを介して厚み方向に１０ｍｍの間隔をおいた状態で並設されており全面にわたって図示しない接着剤により接着されている。二枚の板ガラス２９１、２９１’の間には、間隙層２９２が形成されている。
【０２５７】
本発明において、間隙層２９２を満たす気体は、乾燥していれば大気組成でも大気組成と異なったガス組成であってもよい。
【０２５８】
なお、間隙層２９２を満たす気体を大気組成ガスからアルゴンガスやクリプトンガスに置換すれば、その優れた熱的特性により、複層ガラス２９０の断熱性を向上させることができる。
【０２５９】
また、同一の断熱性をより小さなガラス間隔で実現することができる。さらに間隙層２９２内の圧力は、外気圧と異なっていてもよい。
【０２６０】
なお、図３３において、板ガラス２９１側を冷却室２６０側、板ガラス２９１’側を空調室２５０’側とする。
【０２６１】
また、室内側の板ガラス２９１’は、間隙層２９２側に、特殊金属の薄膜を多層にコーティングした高断熱膜２９３が形成されている。このような特殊金属の多層薄膜からなる高断熱膜２９３がもたらす特性としては、例えば窓ガラスの透視性を高く保ったまま、室内への冷輻射が低いことが挙げられる。
【０２６２】
さらにスペーサー２９４中には、間隙層２９２を乾燥雰囲気に保つための乾燥剤（不図示）が充填されている。この複層ガラス２９０は、他方の空調室２５０’の空調用室内機３００’の下に設けられる。また、空調室２５０’の室内側には、空調室２５０’内の複層ガラス２９０の温度を表示する温度計２９５が設けられている。
【０２６３】
このようにして構成される断熱性比較装置Ｈは空調室２５０、２５０’および冷却室２６０の外部に、それぞれ空調用室外機３２０、冷却用室外機３３０、配電盤３４０が設けられている。そして空調室２５０内に設けられたスイッチ３４１を操作することで、全体を制御することができるようになされている。
【０２６４】
例えば、冷却室２６０を０℃に設定し、空調室２５０、２５０’をそれぞれ温度２０℃、湿度６０％に設定する。この状態で３０分ほど経過すると、単板ガラス２８０の空調室２５０側ガラス表面は結露が発生することとなる。また、単板ガラス２８０の近傍に立つと、冷却室２６０からの冷輻射によって、冷え冷え感を体感することとなる。
【０２６５】
一方複層ガラス２９０の空調室２５０’側表面には、結露が発生しない。また、冷却室２６０からの冷輻射も抑えられ、冷え冷え感を体感することもない。
【０２６６】
したがって、この二つの空調室２５０、２５０’内に出入りすることで単板ガラス２８０と複層ガラス２９０との断熱性の違いを実感することができる。
【０２６７】
（別実施形態）
以下に、断熱性比較装置Ｈの他の実施の形態を説明する。
＜１＞  前記窓ガラスを構成する板ガラスの組み合わせとしては、先の実施形態で説明した単板ガラスと複層ガラスに限定されるものではなく、任意に選定することが可能である。
＜２＞  前記板ガラスは、先の実施形態で説明した厚み３ｍｍの板ガラスに限定されるものではなく、他の厚みの板ガラスであってもよい。
＜３＞  前記空調室は先の実施形態で説明した２つの空調室２５０、２５０’に限定されるものではなく、１つまたは３つ以上配設されていてもよい。
＜４＞  また、前記空調室は、先の実施形態で説明したように空調室２５０、２５０’を隣接させて配設するものに限定されるものではなく、冷却室２６０を介して対向配設させるものや、冷却室２６０の各境界壁面に隣接配設させてもよく、要するに空調室と冷却室の境界壁面が隣接していればよい。
【０２６８】
−気密性比較装置Ｉの説明−
次に、性能体験設備の１つとしての気密性比較装置Ｉについて説明する。図３４〜図３６は気密性比較装置Ｉの全体構成の概略を示している。
【０２６９】
すなわち、この気密性比較装置Ｉは、装置本体３５０、気密室３６０と、送風室３７０とを具備している。
【０２７０】
気密室３６０は、装置本体３５０の前方上部に、全く同じ気密状態となされた二つの試験室３６１、３６２が隣接して設けられている。この試験室３６１、３６２は、上面、前面および側面がそれぞれ透明な樹脂板で形成され、二つの試験室３６１、３６２の内部が見えるようになされている。この試験室３６１、３６２の前面には、それぞれの試験室３６１、３６２に連通する通気孔３６３が設けられている。この通気孔３６３は、試験室３６１、３６２の外側に設けられた流量計３６４に連通するようになされている。この流量計３６４は、図３７に示すように、通気孔３６３からの空気の流れの強弱によって、筒状に形成された本体３６５内を球３６６が浮上するようになされている。したがって、すきま風が多いと、球３６６が大きく浮上し、すきま風が少ないと、球３６６が浮上しないこととなる。この流量計３６４は、流量に応じた各種のものがあるので、送風室３７０からの送風量によって生じるすきま風の流れに応じたものが使用される。
【０２７１】
また、一方の試験室３６１の背面には、一般の住宅建物に使用されているＪＩＳ規格の８等級に相当する一般サッシ３８０が設けられている。また、他方の試験室３６２の背面には、ＪＩＳ規格の２等級に相当する気密サッシ３９０が設けられている。
【０２７２】
送風室３７０は、装置本体３５０の後方上部で、気密室３６０の背後に設けられている。この送風室３７０は、気密室３６０の背面に設けられた一般サッシ３８０および気密サッシ３９０と対向する位置に、大型のファン３７１が設けられている。このファン３７１は、装置本体３５０の前方に設けられたスイッチ３５１を押すことで作動し、外部の空気を送風室３７０内に送風して２０〜３０秒後に自動停止するようになされている。また、送風室３７０内には、模型の木３７２が設けられ、ファン３７１によってどの程度の送風が行われているか、木３７２の揺れ具合で把握できるようになされている。
【０２７３】
このようにして構成される気密性比較装置Ｉを作動させる場合は、装置本体３５０の前方に設けられたスイッチ３５１を押してファン３７１を回転させればよい。ファン３７１が回転して送風が開始されると、一般サッシ３８０および気密サッシ３９０のそれぞれに、風圧が加わることとなり、送風室３７０から試験室３６１、３６２内へと、一般サッシ３８０および気密サッシ３９０を介してすきま風が浸入することとなる。試験室３６１、３６２は、密閉状態に形成しているので、この試験室３６１、３６２に浸入したすきま風は、通風孔３６３から流量計３６４を通って排気される。したがって、流量計３６４のメーターの違いから、一般サッシ３８０と気密サッシ３９０との気密性の違いを実感することができる。
【０２７４】
なお、本実施の形態において、気密性比較装置Ｉは、流量計３６４によってすきま風の浸入度合いを比較するようになされているが、試験室３６１、３６２内で煙などを発生させ、試験室３６１、３６２内でのすきま風による空気の流れが見えるようにしてもよい。また、一般サッシ３８０および気密サッシ３９０の周縁に、風によってなびくリボンや紙片のようなものを付けてすきま風の流れがわかるようにしておいてもよい。
【０２７５】
また、本実施の形態において、気密性比較装置Ｉは、ＪＩＳ規格の８等級に相当する一般サッシ３８０と、ＪＩＳ規格の２等級に相当する気密サッシ３９０とを使用しているが、この使用するサッシの組み合わせとしては、特に限定されるものではなく、サッシの大きさとしても特に限定されるものではない。
【０２７６】
−ガラス割れ体験Ｊの説明−
次に、性能体験設備の１つとしてのガラス割れ体験Ｊについて説明する。図３８ないし図４１はガラス割れ体験装置Ｊの全体構成の概略を示し、図４２は同ガラス割れ体験装置Ｊの使用状態を示している。
【０２７７】
すなわち、このガラス割れ体験装置Ｊは、装置本体４００と、ガラス装着部としてのガラス装着枠４１０と、ハンマー４２０と、レバー４３０とを具備している。
【０２７８】
装置本体４００は、箱形状に形成されており、底部および背面部を構成する回収室４０１と、前面上部を構成する展示室４０２とに仕切られている。
【０２７９】
回収室４０１は、その底部に回収部としての引き出し４０３が設けられ、この引き出し４０３内にガラスの破片を回収できるようになされている。また、回収室４０１の背面部にも、この引き出し４０３へとガラスの破片が落下するのを案内するダストカバー４０４が設けられている。また、回収室４０１の背面部の上方は、蓋４０５によって開閉するようになされている。
【０２８０】
展示室４０２は、前面に、ポリカーボネートなどの強化プラスチック材料で形成された透明の保護壁４０６が設けられている。また、展示室４０２の底板４０７には、回収孔４０７ａが設けられ、ガラスの破片を、この回収孔４０７ａから引き出し４０３に落下させて回収することができるようになされている。さらに、展示室４０２の背面板４０８には、開口部４０９が形成され、この開口部４０９にガラス片４４０を装着するガラス装着枠４１０が設けられている。
【０２８１】
このガラス装着枠４１０は、前記背面板４０８の開口部４０９の裏面にガラス片４４０を当接した状態で、このガラス片４４０の底辺を受ける支承部４１１と、ガラス片４４０の四隅近傍を支持する支持片４１２とによって形成されている。このガラス装着枠４１０へのガラス片４４０の装着は、回収室４０１の蓋４０５を開けて開口部４０９の裏面と支持片４１２との間にガラス片４４０を差込み支承部４１１に支承させることによって行われる。
【０２８２】
ハンマー４２０は、回動軸４２１から直交して延設された支軸４２２の先端に設けられている。この回動軸４２１は、底板４０７上に回動可能に装着されている。ハンマー４２０は、この回動軸４２１を支点として、開口部４０９を貫通する軌跡（図４１の矢印参照）で回動可能となされている。回動軸４２１には、バネ部材４２３が設けられ、このバネ部材４２３の付勢力によって、ハンマー４２０は、常に開口部４０９の方向に付勢するようになされている。
【０２８３】
レバー４３０は、装置本体４００の外側まで突出された回動軸４２１の突出端部に、この回動軸４２１に直交するように取り付けられている。
【０２８４】
次に、このガラス割れ体験装置Ｊの使用方法について説明する。
図４２（ａ）および（ｂ）に示すように、まず、使用するに当り、ガラス装着枠４１０にガラス片４４０を装着しておく。
【０２８５】
ついで、図４２（ｃ）および（ｄ）に示すように、バネ部材４２３の付勢力に抗してレバー４３０を手前に引き、手を離す。すると、レバー４３０の引き具合に応じた衝撃力で、ハンマー４２０がガラス片４４０に衝突する。
【０２８６】
この際、レバー４３０を引っ張る時の抵抗力で、どの程度の衝撃力でハンマー４２０がガラス片４４０に衝突するかといったことがある程度予測できるので、どの程度の衝撃力でガラス片４４０が割れるかといったことを見極めることで、ガラス片４４０の強度を実感することができる。
【０２８７】
また、装着するガラス片４４０の違いによっては、ちょっとした衝撃力で割れたり、逆に相当な衝撃力でも割れなかったりすることとなるので、ガラス片４４０の種類毎の強度の違いを実感することができる。
【０２８８】
ハンマー４２０によってガラス片４４０に衝撃力を加える場合、ガラス片４４０は、透明の保護壁４０６によって被覆されているので、安全に行うことができる。
【０２８９】
また、破損したガラス片４４０の破片は、ダストカバー４０４に案内されて引き出し４０３内に落下して回収される。また、展示室４０２内に飛散したガラス片４４０の破片についても、回収孔４０７ａ内に掃き込むことで、引き出し４０３内に回収することができる。したがって、ガラス片４４０の破片の処理も、引き出し４０３内にたまったガラス片４４０の破片を捨てるだけで簡単に行うことができる。
【０２９０】
なお、本実施の形態において、背面板４０８の開口部４０９の裏面と支持片４１２との間にガラス片４４０を差込み、このガラス片４４０を支承部４１１で支承するようになされているが、このガラス片４１１を装着する手段としては、背面板４０８の開口部に面してガラス片４４０を装着することができれば、特に限定されるものではなく、背面板４０８の開口部４０９の裏面と、ダストカバー４０４との間に突っ張り棒（図示省略）のようなものを設け、この突っ張り棒によって、背面板４０８の開口部４０９の裏面にガラス片４４０を当接するようにしたものであってもよい。
【０２９１】
また、本実施の形態では、ハンマー４２０は、レバー４３０の引き具合によって、ガラス片４４０に衝突する衝撃力が調節されることとなるが、このレバー４３０を引っ張る時の抵抗力から、どの程度の衝撃力でハンマー４２０がガラス片４４０に衝突するかといったことを表示するようにしてもよい。
【０２９２】
−太陽光発電システム解説装置の説明Ｋ−
次に、性能体験設備の１つとしての太陽光発電システム解説装置Ｋについて説明する。この解説装置Ｋは、太陽光発電システムの売電状態及び買電状態を見学者に容易に理解してもらえるようにしたものである。つまり、この解説装置Ｋは、太陽光発電システムの有用性を見学者に認識してもらうための装置である。以下、解説装置Ｋについて説明する。
【０２９３】
図４３は解説装置Ｋの正面図、図４４は解説装置Ｋの平面図、図４５は図４３におけるＭ矢視図（後述する体感装置Ｌを省略している）である。この解説装置Ｋは、太陽光発電システムの売電状態（システムの発電電力量が家庭の使用電力量よりも大きいときに余剰電力を電力会社に売る場合）及び買電状態（システムの発電電力量が家庭の使用電力量よりも小さいときに電力会社から必要電力を買う場合）を体験者に容易に理解してもらえるようにしたものである。つまり、この解説装置Ｋは、太陽光発電システムの有用性を体験者に認識してもらうための装置である。以下、解説装置Ｋの構成について説明する。
【０２９４】
図４３〜図４５に示すように、この解説装置Ｋは、住宅模型５０１を備えている。この住宅模型５０１は、住宅の外壁を模した第１パネル５１１と、住宅の内壁を模した第２パネル５１２とを備えている。この第１パネル５１１と第２パネル５１２とは住宅模型５０１の正面視において左右に互いに平行に並べられ、第２パネル５１２は第１パネル５１１よりも図４３における紙面奥側に位置している。この第１パネル５１１と第２パネル５１２とは、図４３の紙面鉛直方向に延びる第３パネル５１３により連結されている。詳しくは、第３パネル５１３の前端は、第１パネル５１１の図４３における左端よりも僅かに右側位置に接続している。つまり、第１パネル５１１の左端部分は、第３パネル５１３の接続位置よりも左方向にフランジ状に突出した突出部５１１ａとなっている。これらパネル５１１，５１２，５１３は高さが約２ｍであって、実際の住宅に近い大きさに構成されている。
【０２９５】
これらパネル５１１，５１２，５１３の上部には屋根パネル５１４が配設されている。この屋根パネル５１４は、複数枚の瓦材５１４ａにより構成され、図４４の如く、第１〜第３パネル５１１，５１２，５１３の上方を覆うように配設されている。また、上記第２パネル５１２と第３パネル５１３とにより区画された空間（室内空間を模している）は、複数枚の木製の床材５１５，５１５，…が敷設されフローリング調に仕上げられている。
【０２９６】
このように構成された住宅模型５０１に太陽光発電機５０２が取り付けられている。この太陽光発電機５０２は、屋根パネル５１４に取り付けられたソーラーパネル５２１、第１パネル５１１に取り付けられたインバータ５２２及び電力メータ５２３、第２パネル５１２に取り付けられた分電盤５２４及び電気負荷部としてのイラストパネル５２５を備えている。
【０２９７】
ソーラパネル５２１は、例えば長さ１２００mm、奥行き８０２mm、高さ４６mmであり、屋根パネル５１４上に固定されている。このソーラパネル５２１の内部には、太陽光を受けて、その光エネルギを電気エネルギに変換する図示しない半導体光起電素子を備えた太陽電池モジュールが収容されている。この太陽電池モジュールの表面は強化ガラス５２１ａにより覆われている。
【０２９８】
インバータ５２２は、ソーラパネル５２１で発電された直流電流を交流電流に変換するためのスイッチング素子が収容されている。また、このインバータ５２２に隣接してリモコン５２６が備えられている。このリモコン５２６はインバータ５２２の駆動制御を行うためのものである。
【０２９９】
電力メータ５２３は、売電メータ５２３ａと買電メータ５２３ｂとを備えている。売電メータ５２３ａは、上記ソーラパネル５２１の発電電力量が家庭の使用電力量よりも大きいときに電力会社に給電（売電）される電力量を計測するものである。一方、買電メータ５２３ｂは、ソーラパネル５２１の発電電力量が家庭の使用電力量よりも小さいときや、夜間等においてソーラパネル５２１の発電が行えないときに電力会社から給電（買電）される電力量を計測するものである。
【０３００】
分電盤５２４は、ソーラパネル５２１からの電力の家庭内への供給量と電力会社への供給量とを、ソーラパネル５２１の発電電力量及び家庭の使用電力量に応じて調整するものである。また、この分電盤５２４は、電力会社から電力が給電される場合には、この電力を家庭内へ供給する。
【０３０１】
イラストパネル５２５には、家庭内で使用する電気機器（エアコン、テレビ、照明器具等）のイラストが描かれている。
【０３０２】
尚、この太陽光発電機５０２を構成する各機器５２１〜５２６は、実際には駆動せず、現実の住宅に取り付けられる物と同じ物が各パネル５１１〜５１４に取り付けられているだけである。つまり、各機器５２１〜５２６同士は電気配線によって接続されてはおらず、且つ電源にも接続されていない。これら各機器５２１〜５２６の住宅模型５０１に対する取り付け状態は、実際の住宅におけるこれら各機器の設置状態を模しているのである。
【０３０３】
本解説装置Ｋの図４３における右側の壁面５１６には電柱の模型５０３が取り付けられている。
【０３０４】
この太陽光発電機５０２を構成する各機器５２１〜５２５の間には複数のＬＥＤ５０６，５０７が並べられて成る表示部材５０４，５０５が配設されている。以下、この表示部材５０４，５０５の配設位置について説明する。
【０３０５】
この表示部材５０４，５０５は赤色ＬＥＤ５０６，５０６，…を備えたソーラ電流表示部材５０４と、緑色ＬＥＤ５０７，５０７，…を備えた商用電流表示部材５０５とを備えている。
【０３０６】
ソーラ電流表示部材５０４は、上記ソーラパネル５２１とインバータ５２２との間に亘る第１表示部材５４１、インバータ５２２と分電盤５２４との間に亘る第２表示部材５４２、分電盤５２４とイラストパネル５２５との間に亘る第３表示部材５４３、分電盤５２４と電力メータ５２３との間に亘る第４表示部材５４４、電力メータ５２３と電柱模型５０３との間に亘る第５表示部材５４５を備えている。
【０３０７】
商用電流表示部材５０５は、電柱模型５０３と電力メータ５２３との間に亘る第６表示部材５５１、電力メータ５２３と分電盤５２４との間に亘る第７表示部材５５２、分電盤５２４とイラストパネル５２５との間に亘る第８表示部材５５３を備えている。
【０３０８】
各表示部材５４１〜５５３は、図４６に示すように、複数のＬＥＤ５０６，５０７が等間隔おきに列状に配設されている。これらＬＥＤ５０６，５０７の配設構造としては、図４７（図４６におけるN-N 線に沿った断面図）に示すように、表示部材５４１〜５５３の延長方向に延びるケーシング５８１を備えている。このケーシング５８１は、白色のアクリル樹脂で成り、前方が開放されている。このケーシング５８１の背面が住宅模型５０１のパネル５１１，５１２，５１３にネジ止めされている。ケーシング５８１の前方開放部分は半透明のアクリル樹脂で成る蓋部材５８２により閉塞されており、この蓋部材５８２の背面側にＬＥＤ５０６，５０７が取り付けられている。このＬＥＤ５０６，５０７の取り付け構造としては、蓋部材５８２と同じ形状の白色のアクリル樹脂で成る支持板５８３に等間隔おきに円形の開口５８４が形成され、この開口５８４それぞれにＬＥＤ５０６，５０７の前端部分が挿入された状態で、支持板５８３が蓋部材５８２の背面に接着されている。
【０３０９】
次に、各表示部材５４１〜５５３の配設状態について説明する。尚、上記第１パネル５１１の突出部５１１ａには、表示部材５４２，５４４，５５２を挿通させるための開口５１１ｂ，５１１ｃが上下２箇所に形成されている。
【０３１０】
第１表示部材５４１は、上端がソーラパネル５２１に接続し、このソーラパネル５２１から屋根パネル５１４に沿って斜め下方に延びた後、第１パネル５１１の表面をインバータ５２２に向かって鉛直下方に延びている。
【０３１１】
第２表示部材５４２は、インバータ５２２から第１パネル５１１の表面を図４３における水平方向左側に延びた後、上記開口５１１ｂを経て第３パネル５１３及び第２パネル５１２の表面を分電盤５２４に向かって水平方向に延びている。
【０３１２】
第３表示部材５４３は、分電盤５２４から第２パネル５１２の表面を図４３における水平方向左側に延びイラストパネル５２５に接続している。
【０３１３】
第４表示部材５４４は、分電盤５２４から第２パネル５１２及び第３パネル５１３の表面を延びた後、上記開口５１１ｃを経て第１パネル５１１の表面を電力メータ５２３に向かって延びている。
【０３１４】
第５表示部材５４５は、電力メータ５２３から第１パネル５１１の表面を延びた後、上記壁面５１６の表面を電柱模型５０３に向かって延びている。
【０３１５】
第６表示部材５５１は、上記第５表示部材５４５と同様に、電力メータ５２３から第１パネル５１１の表面を延びた後、上記壁面５１６の表面を電柱模型５０３に向かって延びている。
【０３１６】
第７表示部材５５２は、上記第４表示部材５４４と同様に、分電盤５２４から第２パネル５１２及び第３パネル５１３の表面を延びた後、上記開口５１１ｃを経て第１パネル５１１の表面を電力メータ５２３に向かって延びている。
【０３１７】
第８表示部材５５３は、上記第３表示部材５４３と同様に、分電盤５２４から第２パネル５１２の表面を図４３における水平方向左側に延びイラストパネル５２５に接続している。
【０３１８】
また、本解説装置Ｋは、住宅模型５０１の第１パネル５１１の前側に設置された操作盤５１７を備えている。この操作盤５１７は、上面に２個のスイッチ５１７ａ，５１７ｂを備えている。一方のスイッチは売電解説スイッチ５１７ａであり、他方のスイッチは買電解説スイッチ５１７ｂである。体験者は、本解説装置Ｋに売電状態を解説させたい場合には売電解説スイッチ５１７ａをＯＮすることになる。同様に、体験者は、本解説装置Ｋに買電状態を解説させたい場合には買電解説スイッチ５１７ｂをＯＮすることになる。
【０３１９】
本解説装置Ｋは、上記各表示部材５４１〜５５３のＬＥＤ５０６，５０７の点灯状態を制御する発光制御手段としてのコントローラ５０９を備えている。このコントローラ５０９は、図４８に示すように、操作盤５１７の各スイッチ５１７ａ，５１７ｂ、各表示部材５４１〜５５３のＬＥＤ５０６，５０７に接続している。つまり、各スイッチ５１７ａ，５１７ｂのＯＮ操作に応じてＬＥＤ５０６，５０７の点滅状態を制御するようになっている。
【０３２０】
具体的には、売電解説スイッチ５１７ａがＯＮされた場合、コントローラ５０９は、ソーラ電流表示部材５０４の各ＬＥＤ５０６，５０６，…を点滅させる。この点滅状態として、第１表示部材５４１では、ソーラパネル５２１からインバータ５２２に向かって電流が流れていることを模するように各ＬＥＤ５０６，５０６，…を点滅させる。第２表示部材５４２では、インバータ５２２から分電盤５２４に向かって電流が流れていることを模するように各ＬＥＤ５０６，５０６，…を点滅させる。第３表示部材５４３では、分電盤５２４からイラストパネル５２５に向かって電流が流れていることを模するように各ＬＥＤ５０６，５０６，…を点滅させる。第４表示部材５４４では、分電盤５２４から電力メータ５２３に向かって電流が流れていることを模するように各ＬＥＤ５０６，５０６，…を点滅させる。第５表示部材５４５では電力メータ５２３から電柱模型５０３に向かって電流が流れていることを模するように各ＬＥＤ５０６，５０６，…を点滅させる。つまり、ソーラパネル５２１で発電された電力が分電盤５２４に供給され、この分電盤５２４からイラストパネル５２５及び電柱模型５０３にそれぞれ給電される状態が明示されるようになっている。
【０３２１】
一方、買電解説スイッチ５１７ｂがＯＮされた場合、コントローラ５０９は、商用電流表示部材５０５の各ＬＥＤ５０７，５０７，…を点滅させる。この点滅状態として、第６表示部材５５１では、電柱模型５０３から電力メータ５２３に向かって電流が流れていることを模するように各ＬＥＤ５０７，５０７，…を点滅させる。第７表示部材５５２では電力メータ５２３から分電盤５２４に向かって電流が流れていることを模するように各ＬＥＤ５０７，５０７，…を点滅させる。第８表示部材５５３では、分電盤５２４からイラストパネル５２５に向かって電流が流れていることを模するように各ＬＥＤ５０６，５０６，…を点滅させる。つまり、電力会社からの供給電力が、電力メータ５２３及び分電盤５２４を経てイラストパネル５２５に給電される状態が明示されるようになっている。
【０３２２】
これら各ＬＥＤ５０６，５０７の点滅状態について詳しく説明すると、例えば、図４６において右側から左側に向かって電流が流れていることを模するように各ＬＥＤ５０６，５０７を点滅させる場合、図４６に示す５個のＬＥＤのうち、先ず、最も右側にあるＬＥＤαを点灯し、その他のＬＥＤを消灯する。その後、右から２番目のＬＥＤβを点灯し、その他のＬＥＤを消灯する。更に、その後、右から３番目のＬＥＤγを点灯し、その他のＬＥＤを消灯する。このようにして、点灯するＬＥＤを順に左側へ移行させていく。これにより、右側から左側に向かって電流が流れているように表示している。
【０３２３】
このような構成により、上記第１表示部材５４１、第２表示部材５４２及び第３表示部材５４３によって本発明でいう第１発光手段５０４Ａが構成されている。また、上記第４表示部材５４４及び第５表示部材５４５によって本発明でいう第２発光手段５０４Ｂが構成されている。更に、上記第６表示部材５５１、第７表示部材５５２及び第８表示部材５５３によって本発明でいう第３発光手段５０５Ａが構成されている。
【０３２４】
−太陽光発電システム体感装置Ｌの構成説明−
次に、上記体感装置Ｌについて説明する。この体感装置Ｌは、太陽光発電システムで発電可能な電力量と、人力によって発電した場合の電力量とを体験者に比較させることにより、この体験者に、太陽光発電システムにより得られる電力のエネルギ量が予想以上に大きいことを認識させるようにしたものである。
【０３２５】
この体感装置Ｌは、図４９〜図５１に示すように、箱型の装置本体６０１の前面に設けられた円盤６０２を手動で回転させ、その回転数に応じて発電可能な発電量を表示するものである。これにより、太陽光発電システムの発電能力を体験者に体感させることができるようになっている。
【０３２６】
以下、この体感装置Ｌの具体構成について説明する。この体感装置Ｌは、上述したように、装置本体６０１の前面に水平軸回りに回転自在な操作部としての円盤６０２が設けられている。この円盤６０２には体験者が把持可能なハンドル６０３が取り付けられている。つまり、体験者が、このハンドル６０３を把持して円盤６０２を回転させるようになっている。装置本体６０１の上面には表示手段としての発電量表示パネル６０４が設けられている。この発電量表示パネル６０４は３桁の７セグメントを備え、円盤６０２の回転数に応じて発電可能な発電量をデジタル表示する。また、この装置本体６０１の上面には、アクリル板で成る解説手段としての解説パネル６０５が立設状態で取り付けられている。この解説パネル６０５には、実際の太陽光発電システムで発電可能な発電量や、天候による発電量の差が解説されている。例えば、解説装置Ｋに据え付けられている太陽光発電機５０２と同様の発電システムでは天気の良い日の日中の発電量は２００Ｗであること等が解説されている。
【０３２７】
図５１に示すように、装置本体６０１の内部には、コントローラ６０６及び軸受け部材６０７が収容されている。詳しくは、装置本体６０１の内部には、複数のアングル部材が組み合わされて成る枠組６０８が収容されており、この枠組６０８の上端部に上記円盤６０２の回転軸６０２ａを回転自在に支持する３個の軸受け部材６０７，６０７，６０７が取り付けられている。
【０３２８】
コントローラ６０６は枠組６０８の下部に設けられている。このコントローラ６０６は、図５２に示すように、電力換算手段６０６ａを備えている。この電力換算手段６０６ａは、円盤６０２の回転数を検知し、この回転数に応じた発電量を換算し、発電量表示パネル６０４に、この発電量をデジタル表示させる。具体的には、発電量表示パネル６０４は２０Ｗから２００Ｗまでの間の２０Ｗ毎の１０段階に表示を切り換えることが可能である。円盤６０２が回転し、この回転開始から８秒間までの回転数を電力換算手段６０６ａが検知する。この電力換算手段６０６ａは、その回転数に応じて発電量を換算し、換算後の発電量を発電表示パネル６０４に表示する。例えば、８秒間の円盤６０２の回転数が１８回〜２０回であった場合には発電表示パネル６０４に「１００Ｗ」を表示し、この回転数が  ２５回〜２７回であった場合には発電表示パネル６０４に「１６０Ｗ」を表示するといったように、回転数に応じて発電量を表示する。また、この電力換算手段６０６ａは、円盤６０２の回転が停止した後、この発電表示パネル６０４の表示状態を３秒間だけ継続するようになっている。
【０３２９】
−解説装置Ｋの動作説明−
次に、上述の如く構成された解説装置Ｋの動作について説明する。
【０３３０】
先ず、体験者が、天気の良い日の日中での電流の流れを知りたいときには、売電解説スイッチ５１７ａをＯＮする。この状態は、家庭で使用する電力量よりも太陽光発電システムの発電量が大きい場合であって、その余剰電力を電力会社に売る所謂売電を行う際の動作が表示される。
【０３３１】
この売電解説スイッチ５１７ａのＯＮ信号を受けたコントローラ５０９は、ソーラ電流表示部材５０４の各ＬＥＤ５０６，５０６，…を点滅させる。この点滅状態は、上述したように、第１表示部材５４１ではソーラパネル５２１からインバータ５２２に向かって電流が流れ、第２表示部材５４２ではインバータ５２２から分電盤５２４に向かって電流が流れ、第３表示部材５４３では分電盤５２４からイラストパネル５２５に向かって電流が流れ、第４表示部材５４４では分電盤５２４から電力メータ５２３に向かって電流が流れ、第５表示部材５４５では電力メータ５２３から電柱模型５０３に向かって電流が流れていることを模するように各ＬＥＤ５０６，５０６，…が点滅する。
【０３３２】
つまり、ソーラパネル５２１で発電された直流電流が、インバータ５２２によって交流に変換された後、分電盤５２４に導入され、この交流電流の一部がイラストパネル５２５に描かれている電気機器に給電されていると共に、他が電力メータ５２３を経て電柱模型５０３に給電されていることを明示している。つまり、ソーラパネル５２１で発電された電流の一部を電気機器の駆動用電源として使用し、他を売電していることを表示している。
【０３３３】
一方、体験者が、天気の悪い日の日中や夜間での電流の流れを知りたいときには、買電解説スイッチ５１７ｂをＯＮする。この状態は、太陽光発電システムの発電量が小さいか又は発電できない場合であって、家庭で使用する電力の全てを電力会社からの給電により賄う所謂買電を行う際の動作が表示される。
【０３３４】
この買電解説スイッチ５１７ｂのＯＮ信号を受けたコントローラ５０９は、商用電流表示部材５０５の各ＬＥＤ５０７，５０７，…を点滅させる。この点滅状態は、上述したように、第６表示部材５５１では電柱模型５０３から電力メータ５２３に向かって電流が流れ、第７表示部材５５２では電力メータ５２３から分電盤５２４に向かって電流が流れ、第８表示部材５５３では分電盤５２４からイラストパネル５２５に向かって電流が流れていることを模するように各ＬＥＤ５０７，５０７，…が点滅する。
【０３３５】
つまり、電力会社からの給電を、電柱模型５０３、電力メータ５２３、分電盤５２４を経てイラストパネル５２５に描かれている電気機器に給電していることを明示している。つまり、使用する電力の全てを電力会社からの給電により賄っていることを表示している。
【０３３６】
このように、上記解説装置Ｋでは、各表示部材５０４，５０５のＬＥＤ５０６，５０７の点滅状態を、体験者が要求する解説状態に応じて切り換えることで、体験者に、売電時の電流の流れと買電時の電流の流れとを容易に認識させることができる。
【０３３７】
−体感装置Ｌの動作説明−
次に、体感装置Ｌを使用する体験動作について説明する。この体験動作では、体験者が円盤６０２のハンドル６０３を把持し、円盤６０２を回転（例えば図４９における時計回り方向の回転）させる。この回転開始から８秒間の回転数を、コントローラ６０６の電力換算手段６０６ａが検知し、その回転数に応じた発電量を換算する。そして、この換算した発電量を発電量表示パネル６０４にデジタル表示する。
【０３３８】
また、体験者は、解説パネル６０５の記載を読むことで、太陽光発電システムの発電量を知る。そして、先程、円盤６０２を回転させることにより自分が発電した発電量と太陽光発電システムの発電量とを比較し、本システムにより得られるエネルギ量が予想以上に大きいことを知るのである。つまり、解説パネル６０５には、「天気の良い日の日中、本システムでは２００Ｗの発電が可能である」旨の記載されているのに対し、体験者が円盤６０２を力一杯回転させても１６０Ｗしか発電できなかった場合、太陽光から得られるエネルギ量が予想以上に大きいことを認識するのである。
【０３３９】
このように、本体感装置Ｌによれば、太陽光発電システムにより得られるエネルギ量が予想以上に大きいことを体験者に体感させることができる。このため、本システムの有用性が多大であることを体験者に強く印象付けることができる。その結果、本システムの設置を検討している者は、システムの有用性を納得した上で住宅に設置することができる。
【０３４０】
本実施形態は、実際の住宅に近い大きさの住宅模型５０１を使用したが、本発明は、これに限らず、小型の住宅模型により、買電時及び売電時の電流の流れをＬＥＤによって表示する構成としてもよい。
【０３４１】
また、買電時及び売電時の電流の流れの表示形態としては、ＬＥＤを点滅させ、且つこの点滅状態を制御することで電流の流れ方向を明示するようにしたが、その他の表示形態を採用するようにしてもよい。例えば、ＬＥＤの点灯のみを行うものとしてもよい。
【０３４２】
本実施形態は、解説パネル６０５に記載された解説により太陽光発電システムの発電量を体験者に認識させるようにした。本発明は、これに限らず、音声表示により太陽光発電システムの発電量を体験者に認識させるようにしてもよい。
【０３４３】
また、体感装置Ｌの操作部を円盤６０２とし、この円盤６０２を回転させることにより人力による発電量を換算するようにしていた。操作部としては、これに限らず、自転車を模した器具のペダリング動作によって人力による発電量を換算するようにしてもよい。
【０３４４】
−その他の設備の説明−
本住宅体験施設Ａは、上述した各設備及び装置Ｂ〜Ｌの他に、図示しないが、以下のような設備が備えられている。
【０３４５】
（空間スケール体験設備）
この設備は、住宅室内を想定した空間の壁材を水平移動可能にし、この壁材を移動させて空間の広さを可変に構成したものである。この壁材は、例えば本住宅体験施設の天井面に吊り下げられており、この天井面に設けたレールに沿って水平移動が可能となるよう構成されている。
【０３４６】
この設備によれば、体験者が場所を移動すること無しに様々な広さの室内空間を体験でき、建てようとする住宅の間取りや各部屋の広さの設計の参考にすることができる。その結果、住宅を建てようとする者は納得して住宅の間取りや各部屋の広さの設計を行うことができる。また、施設内に種々の広さの部屋を設けておくことなしに、体験者に様々な広さの室内空間を体験してもらうことができる。このため、施設の敷地面積を必要最小限に抑えることができる。
【０３４７】
（子供体験設備）
この設備は、住宅室内を想定した空間内に家具（テーブル、椅子等）やキッチンユニットやドア等を配設し、これらを通常の大きさの例えば１．３８倍の大きさにしておく。この空間に大人が入った際には、実際に、子供が通常の大きさの家具等がどの程度の大きさに見え、また、その使い勝手がどのようなものであるかを実体験することができる。その結果、家具類を選択する際に、子供による家具類の使い勝手をも考慮してその選択を行うことができ、体験者に、従来とは異なる観点から家具類の選択をしてもらうことができる。
【０３４８】
尚、この設備では、６歳の子供を想定して家具類の大きさを通常の１．３８倍としたが、これに限るものではない。
【０３４９】
（その他の設備）
・高さ調整可能なベッドを備え、ベッドの高さと寝起きのし易さを体験できるようにした設備
・鉄骨３階建て住宅の実物大の住宅躯体の一部を展示した展示物及びその住宅全体の模型
・木造住宅の実物大の住宅躯体の一部を展示した展示物
・複数の住宅模型を隣接して展示し、隣の住宅との距離や住宅高さによって日当たりにどのような影響があるか、または、プライバシーに関する問題はどうか等といったことを疑似体験できる設備
（施設内の各設備等の展示位置及び巡回経路）
本住宅体験施設Ａにおける各設備及び装置の展示位置としては、図１にも示すように、住宅を構成する構成部材（外壁パネルやガラス）の性能を体験する設備及び装置が施設の入口に近い側に展示されている。それに対し、住宅模型や実物大の住宅の躯体展示物等が施設の入口から遠い側に展示されている。このため、施設内を巡回する体験者は、先ず、住宅を構成する構成部材の性能を確認した上で、その構成部材が実際の住宅にどのように組み込まれているかを確認することになる。このため、各構成部材の性能をどのようにして有効に利用しているかを容易に認識することができる。
【０３５０】
−実施形態の効果−
以上説明してきたように、本形態に係る住宅体験施設Ａによれば、施設内の空間に展示された性能体験設備によって、住宅を構成する構成部材（壁パネル、ガラス）の性能を体験することができる。また、展示された疑似体験設備によって、住宅の室内居住性（部屋の広さ等）や住宅の付帯設備（セントラルクリーナー、バスユニット、太陽光発電システム）を疑似体験することもできる。従来は、住宅を建てようとする者はカタログやサンプルを見て住宅各部の仕様を選択するに過ぎなかった。本住宅体験施設Ａによれば、各設備による体験動作によって、実際の住宅の耐久性、快適性、付帯設備の使い勝手等を総合的に把握することができ、住宅を建てようとする者が仕様の検討を十分に行って住宅を発注することができる。その結果、住宅の建築後には、望んでいた住宅の性能や使い勝手を良好に得ることができて、住宅を建てた者に対し、その者が選択した仕様に十分な満足感を与えることができる。
【０３５１】
【発明の効果】
以上のように、本発明によれば、以下のような効果が発揮される。
【０３５７】
請求項１記載の発明では、上下２つの空間を仕切る仕切り材を構成の異なる複数種類の床構造体で成し、それぞれの床構造体に対して個別に防音状態を体感できるようにしている。従来では、防音測定データをカタログで見ることで床構造の防音性能を認識していたが、本発明によれば、実際の防音状態を体感することができる。体験者は、床構造体の仕様の選択を納得して行うことができる。その結果、住宅の建築後には、望んでいた住宅の性能を良好に得ることができて、住宅を建てた者の不満を招くことがない。
【０３６０】
請求項２記載の発明では、透水性比較装置において各試験器内の液体を透明板を介して覗き見ることで、各試験器内の液体の経時的な透水による変化量を一目で比較することが可能となり、種類の異なる外壁パネルの差を明確にして、種類の異なる外壁パネルの透水性の違いを容易に把握でき、その透水性の差を印象付けることができる。しかも、各試験器周囲でのシミの出具合によって各外壁パネルの透水性の差を実体験することができる。加えて、展示室を保護カバーにより覆うことで、展示室内を気密状態にし、各試験器内の液体の蒸発を効果的に抑制して、各試験器内の液体の透水による変化量を正確に把握することができる。
【図面の簡単な説明】
【図１】実施形態に係る住宅体験施設の内部を示す施設全体図である。
【図２】換気性能展示設備の正面図である。
【図３】換気体験装置の斜視図である。
【図４】図３におけるIV-IV 線に沿った断面図である。
【図５】図３におけるV-V 線に沿った断面図である。
【図６】微粒粉体の供給経路を示す図である。
【図７】スモークテスタを示す図である。
【図８】熱交換体験装置の斜視図である。
【図９】熱交換体験装置の平面図である。
【図１０】熱交換体験装置の正面図である。
【図１１】換気ユニット展示物の展示状態を示す斜視図である。
【図１２】換気ユニット展示物の内部構成を示す断面図である。
【図１３】床防音体験装置の正面図である。
【図１４】床防音体験装置の平面図である。
【図１５】落下物搬送機を体験室側から見た図である。
【図１６】落下物の回収機構を説明するための図である。
【図１７】外壁パネルの性能展示設備の全体構成の概略を示す正面図である。
【図１８】強度比較体験装置の全体構成の概略を示す斜視図である。
【図１９】強度比較体験装置の側面図である。
【図２０】透水性比較装置の全体構成の概略を示す斜視図である。
【図２１】透水性比較装置の側面図である。
【図２２】拡大比較体験装置の全体構成の概略を示す斜視図である。
【図２３】拡大比較体験装置の側面図である。
【図２４】拡大鏡を介して覗き見た第１サンプル片の展示面の拡大図である。
【図２５】拡大鏡を介して覗き見た第２サンプル片の展示面の拡大図である。
【図２６】セントラルクリーナー解説装置の全体構成の概略を示す正面図である。
【図２７】浴槽のまたぎ寸法体験装置を展示室側から見た斜視図である。
【図２８】またぎ寸法体験装置を機械室側から見た背面図である。
【図２９】遮熱効果体験装置の全体構成の概略を示す正面図である。
【図３０】遮熱効果体験装置の水平断面図である。
【図３１】立ち位置から単板ガラス側を見た断面図である。
【図３２】断熱性比較装置の全体構成の概略を示す斜視図である。
【図３３】複層ガラスを示す部分破断斜視図である。
【図３４】本発明に係る気密性比較装置の全体構成の概略を示す水平断面図である。
【図３５】気密性比較装置の全体構成の概略を示す正面図である。
【図３６】気密性比較装置の全体構成の概略を示す側断面図である。
【図３７】（ａ）は流量計の全体構成の概略を示す正面図、（ｂ）は流量計の内部構成を示す側面図である。
【図３８】ガラス割れ体験装置の全体構成の概略を示す正面図である。
【図３９】ガラス割れ体験装置の全体構成の概略を示す平面図である。
【図４０】ガラス割れ体験装置の全体構成の概略を示す側面図である。
【図４１】ガラス割れ体験装置の垂直側断面図である。
【図４２】（ａ）〜（ｄ）はガラス割れ体験装置の使用状態を示す工程図である。
【図４３】太陽光発電システム解説装置の正面図である。
【図４４】太陽光発電システム解説装置の平面図である。
【図４５】図４３におけるＭ矢視図である。
【図４６】電流表示部の正面図である。
【図４７】図４６におけるN-N 線に沿った断面図である。
【図４８】解説装置のコントローラを説明するためのブロック図である。
【図４９】発電体験装置の正面図である。
【図５０】発電体験装置の平面図である。
【図５１】発電体験装置の側面図である。
【図５２】発電体験装置のコントローラを説明するためのブロック図である。
【符号の説明】
Ｂ            換気性能展示設備
１            換気体験装置
１２          住宅模型
１３ａ        外壁パネル
１４Ａ〜１４Ｉ空間
１５ａ、１５ｂ天井パネル（仕切り板）
１５ｃ、１５ｄ壁パネル（仕切り板）
１６          切り欠き部（間隙）
１８          送風機（気流発生手段）
１９          スモークテスタ（導入手段）
２            熱交換体験装置
２１Ａ        温調室
２１Ｂ        外気室
２１ａ        第１温調空間
２１ｂ        第２温調空間
２１ｃ        新鮮空気導入空間
２１ｄ        排気空間
２３          ケーシング
２３ｅ〜２３ｈ開口
２４          熱交換器
２６ａ、２６ｂ送風ファン（送風手段）
２７          電気ヒータ（温調手段）
Ｉ            排気通路
ＩＩ          導入通路
３            換気ユニット展示物
３１          熱交換器
３２          ケーシング
３２ａ        室内側排気口
３２ｂ        室内側導入口
３２ｃ        室外側導入口
３２ｄ        室外側排気口
５            展示用枠体
Ｃ            床防音体験装置
６２          体験室
６３          騒音発生空間
６４          仕切り材
６５、６６    床構造体
７            落下物搬送機
８            落下物
Ｄ            外壁パネルの性能展示設備
１００        強度比較体験装置
１０１        展示室
１０１ｂ      保護カバー
１０２        試験片装着部
１０３        ハーケン
１０４        レバー
１１０        透水性比較装置
１１１        展示室
１１３        保護カバー
１１４        透明板
１２０        拡大比較体験装置
１２１        装置本体
１２１ａ      展示部
１２３        拡大鏡
Ｄ１          第１試験片
Ｄ２          第１試験器
Ｄ３          第１サンプル片
Ｄａ          前方開口部（開口部）
Ｄｔ          展示面
Ｒ１          第２試験片
Ｒ２          第２試験器
Ｒ３          第２サンプル片
Ｒａ          前方開口部（開口部）
Ｒｔ          展示面
Ｗ            水（液体）
Ｅ            セントラルクリーナー解説装置
１３０        装置本体
１３６        展示室
１４０        透明配管
１５０        吸引装置
１６０        可撓性ホース
Ｔａ          ティッシュペーパー（被吸引物）
Ｆ            またぎ寸法体験装置
１７０        展示室
１７１        浴槽
１７１ａ      縁
１７５        疑似洗い場
１８０        機械室
１９０        昇降装置
Ｌ            またぎ寸法
Ｘ            体験者
Ｇ            遮熱効果体験装置
２１０        壁体
２１１        開口部
２２１        単板ガラス
２２２        ペアガラス
２２０        ドア
２３０        ライト
Ｐ            立ち位置
Ｈ            断熱性比較装置
２５０、２５０’空調室
２６０        冷却室
２７０、２７０’界壁（境界壁面）
２８０        単板ガラス
２９０        複層ガラス
Ｉ            気密性比較装置
３６０        気密室
３６１、３６２試験室
３６４        流量計
３７０        送風室
３８０        一般サッシ
３９０        気密サッシ
Ｊ            ガラス割れ体験装置
４００        装置本体
４０１        回収室
４０２        展示室
４０３        引き出し（回収部）
４０６        保護壁
４１０        ガラス装着枠（ガラス装着部）
４２０        ハンマー
４３０        レバー
４４０        ガラス片
Ｋ            太陽光発電システム解説装置
５０１        住宅模型
５２１        ソーラパネル
５２５        イラストパネル（電気負荷部）
５０４Ａ      第１発光手段
５０４Ｂ      第２発光手段
５０５Ａ      第３発光手段
５０９        コントローラ（発光制御手段）
Ｌ            太陽光発電システム性能体感装置
６０２        円盤（操作部）
６０４        発電量表示パネル（表示手段）
６０５        解説パネル（解説手段）
【図１】
0003648080.tif 000002
【図２】
0003648080.tif 000003
【図３】
0003648080.tif 000004
【図４】
0003648080.tif 000005
【図５】
0003648080.tif 000006
【図６】
0003648080.tif 000007
【図７】
0003648080.tif 000008
【図８】
0003648080.tif 000009
【図９】
0003648080.tif 000010
【図１０】
0003648080.tif 000011
【図１１】
0003648080.tif 000012
【図１２】
0003648080.tif 000013
【図１３】
0003648080.tif 000014
【図１４】
0003648080.tif 000015
【図１５】
0003648080.tif 000016
【図１６】
0003648080.tif 000017
【図１７】
0003648080.tif 000018
【図１８】
0003648080.tif 000019
【図１９】
0003648080.tif 000020
【図２０】
0003648080.tif 000021
【図２１】
0003648080.tif 000022
【図２２】
0003648080.tif 000023
【図２３】
0003648080.tif 000024
【図２４】
0003648080.tif 000025
【図２５】
0003648080.tif 000026
【図２６】
0003648080.tif 000027
【図２７】
0003648080.tif 000028
【図２８】
0003648080.tif 000029
【図２９】
0003648080.tif 000030
【図３０】
0003648080.tif 000031
【図３１】
0003648080.tif 000032
【図３２】
0003648080.tif 000033
【図３３】
0003648080.tif 000034
【図３４】
0003648080.tif 000035
【図３５】
0003648080.tif 000036
【図３６】
0003648080.tif 000037
【図３７】
0003648080.tif 000038
【図３８】
0003648080.tif 000039
【図３９】
0003648080.tif 000040
【図４０】
0003648080.tif 000041
【図４１】
0003648080.tif 000042
【図４２】
0003648080.tif 000043
【図４３】
0003648080.tif 000044
【図４４】
0003648080.tif 000045
【図４５】
0003648080.tif 000046
【図４６】
0003648080.tif 000047
【図４７】
0003648080.tif 000048
【図４８】
0003648080.tif 000049
【図４９】
0003648080.tif 000050
【図５０】
0003648080.tif 000051
【図５１】
0003648080.tif 000052
【図５２】
0003648080.tif 000053